(57)【特許請求の範囲】
【請求項１】
無線通信により互いに通信を行う携帯型通信装置、第１の情報処理装置および第２の情報処理装置からなる情報処理システムにおいて、
前記携帯型通信装置は、
識別情報を含むID情報を記憶する第１の記憶手段と、
前記第２の情報処理装置が有する前記無線通信のためのアンテナの位置を示すアンテナ位置情報を取得する第１の取得手段と、
前記第１の取得手段により取得された前記アンテナ位置情報に基づいて、前記携帯型通信装置の現在の位置を示す携帯型通信装置位置情報を算出する第１の算出手段と、
前記第１の算出手段により算出された前記携帯型通信装置位置情報を記憶する第２の記憶手段と、
前記第２の記憶手段により記憶されている前記携帯型通信装置位置情報に、前記第１の記憶手段により記憶されている前記ID情報を付加し、前記ID情報が付加された前記携帯型通信装置位置情報を前記第１の情報処理装置に供給する第１の供給手段と
を備え、
前記第１の情報処理装置は、
被写体を撮影する撮影手段と、
前記アンテナ位置情報を取得する第２の取得手段と、
前記第２の取得手段により取得された前記アンテナ位置情報に基づいて、前記第１の情報処理装置の現在の位置を示す第１の情報処理装置位置情報を算出する第２の算出手段と、
前記第２の算出手段により算出された前記第１の情報処理装置位置情報を記憶する第３の記憶手段と、
前記第１の供給手段により供給される前記携帯型通信装置位置情報および前記ID情報を取得する第３の取得手段と、
前記第３の取得手段により取得された前記携帯型通信装置位置情報、および、前記第３の記憶手段により記憶されている前記第１の情報処理装置位置情報に基づいて、前記撮影手段の撮影可能範囲に前記携帯型通信装置が存在するか否かを判定する判定手段と、
前記判定手段により前記撮影可能範囲に前記携帯型通信装置が存在すると判定された場合、前記撮影可能範囲に対応する、前記撮影手段の撮影により得られた画像データに、前記第３の取得手段により取得された前記ID情報を付加し、前記ID情報が付加された前記画像データを第２の情報処理装置に供給する第２の供給手段と
を備え、
前記第２の情報処理装置は、
前記アンテナを複数有し、
前記アンテナ位置情報を前記携帯型通信装置または前記第１の情報処理装置に供給する第３の供給手段と、
前記画像データを取得する第４の取得手段と、
前記第４の取得手段により取得された前記画像データに前記ID情報が付加されている場合、前記画像データおよび前記ID情報を互いに関連付けて記憶する第４の記憶手段と
を備えることを特徴とする情報処理システム。
【請求項２】
前記情報処理システムは、前記第２の情報処理装置とネットワークを介して接続される第３の情報処理装置をさらに備え、
前記第２の情報処理装置は、
前記第４の記憶手段により記憶されている前記画像データを要求する要求情報を取得する第５の取得手段と、
前記第５の取得手段により取得された前記要求情報に基づいて、前記第４の記憶手段に記憶されている前記画像データを前記第３の情報処理装置に供給する第４の供給手段と
をさらに備え、
前記第３の情報処理装置は、
前記要求情報を前記第２の情報処理装置に供給する第５の供給手段と、
前記画像データを取得する第６の取得手段と
を備えることを特徴とする請求項１に記載の情報処理システム。
【請求項３】
被写体を撮影する撮影手段と、
他の情報処理装置が有する無線通信のためのアンテナの位置を示すアンテナ位置情報を取得する第１の取得手段と、
前記第１の取得手段により取得された前記アンテナ位置情報に基づいて、前記情報処理装置の現在の位置を示す現在位置情報を算出する算出手段と、
前記算出手段により算出された前記現在位置情報を記憶する記憶手段と、
前記携帯型通信装置の位置を示す携帯型通信装置位置情報および前記携帯型通信装置に対応するID情報を取得する第２の取得手段と、
前記第２の取得手段により取得された前記携帯型通信装置位置情報、および、前記記憶手段により記憶されている前記現在位置情報に基づいて、前記撮影手段の撮影可能範囲に前記携帯型通信装置が存在するか否かを判定する判定手段と、
前記判定手段により前記撮影可能範囲に前記携帯型通信装置が存在すると判定された場合、前記撮影可能範囲に対応する、前記撮影手段の撮影により得られた画像データに、前記第２の取得手段により取得された前記ID情報を付加し、前記ID情報が付加された前記画像データを第２の情報処理装置に供給する供給手段と
を備えることを特徴とする情報処理装置。
【請求項４】
被写体の撮影を制御する撮影制御ステップと、
他の情報処理装置が有する無線通信のためのアンテナの位置を示すアンテナ位置情報を取得するように制御する第１の取得制御ステップと、
前記第１の取得制御ステップの処理により制御されて取得された前記アンテナ位置情報に基づいて、前記情報処理装置の現在の位置を示す現在位置情報を算出する算出ステップと、
前記算出ステップの処理により算出された前記現在位置情報を記憶するように制御する記憶制御ステップと、
前記携帯型通信装置の位置を示す携帯型通信装置位置情報および前記携帯型通信装置に対応するID情報を取得するように制御する第２の取得制御ステップと、
前記第２の取得制御ステップの処理により制御されて取得された前記携帯型通信装置位置情報、および、前記記憶制御ステップの処理により制御されて記憶されている前記現在位置情報に基づいて、前記撮影制御ステップの処理により制御される前記撮影の撮影可能範囲に前記携帯型通信装置が存在するか否かを判定する判定ステップと、
前記判定ステップの処理により前記撮影可能範囲に前記携帯型通信装置が存在すると判定された場合、前記撮影可能範囲に対応する、前記撮影により得られた画像データに、前記第２の取得制御ステップの処理により制御されて取得された前記ID情報を付加し、前記ID情報が付加された前記画像データを前記他の情報処理装置に供給するように制御する供給制御ステップと
を含むことを特徴とする情報処理方法。
【請求項５】
被写体の撮影を制御する撮影制御ステップと、
他の情報処理装置が有する無線通信のためのアンテナの位置を示すアンテナ位置情報を取得するように制御する第１の取得制御ステップと、
前記第１の取得制御ステップの処理により制御されて取得された前記アンテナ位置情報に基づいて、前記情報処理装置の現在の位置を示す現在位置情報を算出する算出ステップと、
前記算出ステップの処理により算出された前記現在位置情報を記憶するように制御する記憶制御ステップと、
前記携帯型通信装置の位置を示す携帯型通信装置位置情報および前記携帯型通信装置に対応するID情報を取得するように制御する第２の取得制御ステップと、
前記第２の取得制御ステップの処理により制御されて取得された前記携帯型通信装置位置情報、および、前記記憶制御ステップの処理により制御されて記憶されている前記現在位置情報に基づいて、前記撮影制御ステップの処理により制御される前記撮影の撮影可能範囲に前記携帯型通信装置が存在するか否かを判定する判定ステップと、
前記判定ステップの処理により前記撮影可能範囲に前記携帯型通信装置が存在すると判定された場合、前記撮影可能範囲に対応する、前記撮影により得られた画像データに、前記第２の取得制御ステップの処理により制御されて取得された前記ID情報を付加し、前記ID情報が付加された前記画像データを前記他の情報処理装置に供給するように制御する供給制御ステップと
を含むことを特徴とするコンピュータが読み取り可能なプログラムが記録されている記録媒体。
【請求項６】
被写体の撮影を制御する撮影制御ステップと、
他の情報処理装置が有する無線通信のためのアンテナの位置を示すアンテナ位置情報を取得するように制御する第１の取得制御ステップと、
前記第１の取得制御ステップの処理により制御されて取得された前記アンテナ位置情報に基づいて、前記情報処理装置の現在の位置を示す現在位置情報を算出する算出ステップと、
前記算出ステップの処理により算出された前記現在位置情報を記憶するように制御する記憶制御ステップと、
前記携帯型通信装置の位置を示す携帯型通信装置位置情報および前記携帯型通信装置に対応するID情報を取得するように制御する第２の取得制御ステップと、
前記第２の取得制御ステップの処理により制御されて取得された前記携帯型通信装置位置情報、および、前記記憶制御ステップの処理により制御されて記憶されている前記現在位置情報に基づいて、前記撮影制御ステップの処理により制御される前記撮影の撮影可能範囲に前記携帯型通信装置が存在するか否かを判定する判定ステップと、
前記判定ステップの処理により前記撮影可能範囲に前記携帯型通信装置が存在すると判定された場合、前記撮影可能範囲に対応する、前記撮影により得られた画像データに、前記第２の取得制御ステップの処理により制御されて取得された前記ID情報を付加し、前記ID情報が付加された前記画像データを前記他の情報処理装置に供給するように制御する供給制御ステップと
をコンピュータに実行させるプログラム。
【請求項７】
無線通信のためのアンテナを複数有し、
携帯型通信装置または他の情報処理装置の位置を特定するために用いられる前記アンテナの位置を示すアンテナ位置情報を前記携帯型通信装置または前記他の情報処理装置に供給する供給手段と、
前記他の情報処理装置より供給された、前記他の情報処理装置において撮影されて得られた画像データを取得する取得手段と、
前記取得手段により取得された前記画像データに対して、前記携帯型通信装置の前記他の情報処理装置からの相対位置に基づいて、前記携帯型通信装置に対応するID情報が付加されている場合、前記画像データおよび前記ID情報を互いに関連付けて記憶する記憶手段と
を備えることを特徴とする情報処理装置。
【請求項８】
無線通信のためのアンテナを複数有する情報処理装置の情報処理方法であって、
携帯型通信装置または他の情報処理装置の位置を特定するために用いられる前記アンテナの位置を示すアンテナ位置情報を前記携帯型通信装置または前記他の情報処理装置に供給するように制御する供給制御ステップと、
前記他の情報処理装置より供給された、前記他の情報処理装置において撮影されて得られた画像データを取得するように制御する取得制御ステップと、
前記取得制御ステップの処理により取得された前記画像データに対して、前記携帯型通信装置の前記他の情報処理装置からの相対位置に基づいて、前記携帯型通信装置に対応するID情報が付加されている場合、前記画像データおよび前記ID情報を互いに関連付けて記憶するように制御する記憶制御ステップと
を含むことを特徴とする情報処理方法。
【請求項９】
無線通信のためのアンテナを複数有するコンピュータに行わせるプログラムであって、
携帯型通信装置または他の情報処理装置の位置を特定するために用いられる前記アンテナの位置を示すアンテナ位置情報を前記携帯型通信装置または前記他の情報処理装置に供給するように制御する供給制御ステップと、
前記他の情報処理装置より供給された、前記他の情報処理装置において撮影されて得られた画像データを取得するように制御する取得制御ステップと、
前記取得制御ステップの処理により取得された前記画像データに対して、前記携帯型通信装置の前記他の情報処理装置からの相対位置に基づいて、前記携帯型通信装置に対応するID情報が付加されている場合、前記画像データおよび前記ID情報を互いに関連付けて記憶するように制御する記憶制御ステップと
を含むことを特徴とするコンピュータが読み取り可能なプログラムが記録されている記録媒体。
【請求項１０】
無線通信のためのアンテナを複数有するコンピュータに行わせるプログラムであって、
携帯型通信装置または他の情報処理装置の位置を特定するために用いられる前記アンテナの位置を示すアンテナ位置情報を前記携帯型通信装置または前記他の情報処理装置に供給するように制御する供給制御ステップと、
前記他の情報処理装置より供給された、前記他の情報処理装置において撮影されて得られた画像データを取得するように制御する取得制御ステップと、
前記取得制御ステップの処理により取得された前記画像データに対して、前記携帯型通信装置の前記他の情報処理装置からの相対位置に基づいて、前記携帯型通信装置に対応するID情報が付加されている場合、前記画像データおよび前記ID情報を互いに関連付けて記憶するように制御する記憶制御ステップと
をコンピュータに実行させるプログラム。
【発明の詳細な説明】
【０００１】
【発明の属する技術分野】
本発明は情報処理システム、情報処理装置および方法、記録媒体、並びにプログラムに関し、特に、携帯型通信装置より供給されたID情報と撮影された画像に対応する画像データを、互いに関連付けて記憶することで撮影された被写体を識別することができるようにする情報処理システム、情報処理装置および方法、記録媒体、並びにプログラムに関する。
【０００２】
【従来の技術】
従来、遊園地やテーマパーク等において撮影を行う場合、入場者は、持参した、または現地で購入したビデオカメラ、スチルカメラ、またはデジタルカメラ等を用いる。
【０００３】
【発明が解決しようとする課題】
しかしながら、上述したような方法では、例えば、カメラの携帯が禁止されているアトラクション等を利用する同行者を撮影する場合、撮影者は、そのアトラクション等に参加せずにアトラクションの側で待機し、撮影に専念しなければならず、楽しさが著しく失われてしまうという課題があった。
【０００４】
また、これに対して、カメラの携帯が禁止されているアトラクション等において、固定カメラ、またはカメラを携帯したスタッフ等により、入場者を撮影するサービスもある。しかしながら、この場合、撮影画像を受け取る際に、撮影された入場者は、多くの画像の中から自分が撮影されている画像を選択しなければならず、煩雑な作業を必要としていた。
【０００５】
本発明はこのような状況に鑑みてなされたものであり、携帯型通信装置より供給されたID情報と撮影された画像に対応する画像データを、互いに関連付けて記憶することで撮影された被写体を識別することができるようにして、テーマパーク等において、入場者が撮影に関して行動の制約を受けないようにし、また、入場者が、容易に目的の撮影画像を受け取ることができるようにするものである。
【００１５】
【課題を解決するための手段】
本発明の情報処理システムは、無線通信により互いに通信を行う携帯型通信装置、第１の情報処理装置および第２の情報処理装置を備える情報処理システムであって、携帯型通信装置は、識別情報を含むID情報を記憶する第１の記憶手段と、第２の情報処理装置が有する無線通信のためのアンテナの位置を示すアンテナ位置情報を取得する第１の取得手段と、第１の取得手段により取得されたアンテナ位置情報に基づいて、携帯型通信装置の現在の位置を示す携帯型通信装置位置情報を算出する第１の算出手段と、第１の算出手段により算出された携帯型通信装置位置情報を記憶する第２の記憶手段と、第２の記憶手段により記憶されている携帯型通信装置位置情報に、第１の記憶手段により記憶されているID情報を付加し、ID情報が付加された携帯型通信装置位置情報を第１の情報処理装置に供給する第１の供給手段とを備え、第１の情報処理装置は、被写体を撮影する撮影手段と、アンテナ位置情報を取得する第２の取得手段と、第２の取得手段により取得されたアンテナ位置情報に基づいて、第１の情報処理装置の現在の位置を示す第１の情報処理装置位置情報を算出する第２の算出手段と、第２の算出手段により算出された第１の情報処理装置位置情報を記憶する第３の記憶手段と、第１の供給手段により供給される携帯型通信装置位置情報およびID情報を取得する第３の取得手段と、第３の取得手段により取得された携帯型通信装置位置情報、および、第３の記憶手段により記憶されている第１の情報処理装置位置情報に基づいて、撮影手段の撮影可能範囲に携帯型通信装置が存在するか否かを判定する判定手段と、判定手段により撮影可能範囲に携帯型通信装置が存在すると判定された場合、撮影可能範囲に対応する、撮影手段の撮影により得られた画像データに、第３の取得手段により取得されたID情報を付加し、ID情報が付加された画像データを第２の情報処理装置に供給する第２の供給手段とを備え、第２の情報処理装置は、アンテナを複数有し、アンテナ位置情報を携帯型通信装置または第１の情報処理装置に供給する第３の供給手段と、画像データを取得する第４の取得手段と、第４の取得手段により取得された画像データにID情報が付加されている場合、画像データおよびID情報を互いに関連付けて記憶する第４の記憶手段とを備えることを特徴とする。
【００２３】
前記情報処理システムは、第２の情報処理装置とネットワークを介して接続される第３の情報処理装置をさらに備え、第２の情報処理装置は、第４の記憶手段により記憶されている画像データを要求する要求情報を取得する第５の取得手段と、第５の取得手段により取得された要求情報に基づいて、第４の記憶手段に記憶されている画像データを第３の情報処理装置に供給する第４の供給手段とをさらに備え、第３の情報処理装置は、要求情報を第２の情報処理装置に供給する第５の供給手段と、画像データを取得する第６の取得手段とを備えるようにすることができる。
【００２４】
本発明の第１の情報処理装置は、被写体を撮影する撮影手段と、他の情報処理装置が有する無線通信のためのアンテナの位置を示すアンテナ位置情報を取得する第１の取得手段と、第１の取得手段により取得されたアンテナ位置情報に基づいて、情報処理装置の現在の位置を示す現在位置情報を算出する算出手段と、算出手段により算出された現在位置情報を記憶する記憶手段と、携帯型通信装置の位置を示す携帯型通信装置位置情報および携帯型通信装置に対応するID情報を取得する第２の取得手段と、第２の取得手段により取得された携帯型通信装置位置情報、および、記憶手段により記憶されている現在位置情報に基づいて、撮影手段の撮影可能範囲に携帯型通信装置が存在するか否かを判定する判定手段と、判定手段により撮影可能範囲に携帯型通信装置が存在すると判定された場合、撮影可能範囲に対応する、撮影手段の撮影により得られた画像データに、第２の取得手段により取得されたID情報を付加し、ID情報が付加された画像データを第２の情報処理装置に供給する供給手段とを備えることを特徴とする。
【００３２】
本発明の第１の情報処理方法は、被写体の撮影を制御する撮影制御ステップと、他の情報処理装置が有する無線通信のためのアンテナの位置を示すアンテナ位置情報を取得するように制御する第１の取得制御ステップと、第１の取得制御ステップの処理により制御されて取得されたアンテナ位置情報に基づいて、情報処理装置の現在の位置を示す現在位置情報を算出する算出ステップと、算出ステップの処理により算出された現在位置情報を記憶するように制御する記憶制御ステップと、携帯型通信装置の位置を示す携帯型通信装置位置情報および携帯型通信装置に対応するID情報を取得するように制御する第２の取得制御ステップと、第２の取得制御ステップの処理により制御されて取得された携帯型通信装置位置情報、および、記憶制御ステップの処理により制御されて記憶されている現在位置情報に基づいて、撮影制御ステップの処理により制御される撮影の撮影可能範囲に携帯型通信装置が存在するか否かを判定する判定ステップと、判定ステップの処理により撮影可能範囲に携帯型通信装置が存在すると判定された場合、撮影可能範囲に対応する、撮影により得られた画像データに、第２の取得制御ステップの処理により制御されて取得されたID情報を付加し、ID情報が付加された画像データを他の情報処理装置に供給するように制御する供給制御ステップとを含むことを特徴とする。
【００３３】
本発明の第１の記録媒体のプログラムは、被写体の撮影を制御する撮影制御ステップと、他の情報処理装置が有する無線通信のためのアンテナの位置を示すアンテナ位置情報を取得するように制御する第１の取得制御ステップと、第１の取得制御ステップの処理により制御されて取得されたアンテナ位置情報に基づいて、情報処理装置の現在の位置を示す現在位置情報を算出する算出ステップと、算出ステップの処理により算出された現在位置情報を記憶するように制御する記憶制御ステップと、携帯型通信装置の位置を示す携帯型通信装置位置情報および携帯型通信装置に対応するID情報を取得するように制御する第２の取得制御ステップと、第２の取得制御ステップの処理により制御されて取得された携帯型通信装置位置情報、および、記憶制御ステップの処理により制御されて記憶されている現在位置情報に基づいて、撮影制御ステップの処理により制御される撮影の撮影可能範囲に携帯型通信装置が存在するか否かを判定する判定ステップと、判定ステップの処理により撮影可能範囲に携帯型通信装置が存在すると判定された場合、撮影可能範囲に対応する、撮影により得られた画像データに、第２の取得制御ステップの処理により制御されて取得されたID情報を付加し、ID情報が付加された画像データを他の情報処理装置に供給するように制御する供給制御ステップとを含むことを特徴とする。
【００３４】
本発明の第１のプログラムは、被写体の撮影を制御する撮影制御ステップと、他の情報処理装置が有する無線通信のためのアンテナの位置を示すアンテナ位置情報を取得するように制御する第１の取得制御ステップと、第１の取得制御ステップの処理により制御されて取得されたアンテナ位置情報に基づいて、情報処理装置の現在の位置を示す現在位置情報を算出する算出ステップと、算出ステップの処理により算出された現在位置情報を記憶するように制御する記憶制御ステップと、携帯型通信装置の位置を示す携帯型通信装置位置情報および携帯型通信装置に対応するID情報を取得するように制御する第２の取得制御ステップと、第２の取得制御ステップの処理により制御されて取得された携帯型通信装置位置情報、および、記憶制御ステップの処理により制御されて記憶されている現在位置情報に基づいて、撮影制御ステップの処理により制御される撮影の撮影可能範囲に携帯型通信装置が存在するか否かを判定する判定ステップと、判定ステップの処理により撮影可能範囲に携帯型通信装置が存在すると判定された場合、撮影可能範囲に対応する、撮影により得られた画像データに、第２の取得制御ステップの処理により制御されて取得されたID情報を付加し、ID情報が付加された画像データを他の情報処理装置に供給するように制御する供給制御ステップとをコンピュータに実行させる。
【００３５】
本発明の第２の情報処理装置は、無線通信のためのアンテナを複数有し、携帯型通信装置または他の情報処理装置の位置を特定するために用いられるアンテナの位置を示すアンテナ位置情報を携帯型通信装置または他の情報処理装置に供給する供給手段と、他の情報処理装置より供給された、他の情報処理装置において撮影されて得られた画像データを取得する取得手段と、取得手段により取得された画像データに対して、携帯型通信装置の他の情報処理装置からの相対位置に基づいて、携帯型通信装置に対応するID情報が付加されている場合、画像データおよびID情報を互いに関連付けて記憶する記憶手段とを備えることを特徴とする。
【００４１】
本発明の第２の情報処理方法は、無線通信のためのアンテナを複数有する情報処理装置の情報処理方法であって、携帯型通信装置または他の情報処理装置の位置を特定するために用いられるアンテナの位置を示すアンテナ位置情報を携帯型通信装置または他の情報処理装置に供給するように制御する供給制御ステップと、他の情報処理装置より供給された、他の情報処理装置において撮影されて得られた画像データを取得するように制御する取得制御ステップと、取得制御ステップの処理により取得された画像データに対して、携帯型通信装置の他の情報処理装置からの相対位置に基づいて、携帯型通信装置に対応するID情報が付加されている場合、画像データおよびID情報を互いに関連付けて記憶するように制御する記憶制御ステップとを含むことを特徴とする。
【００４２】
本発明の第２の記録媒体のプログラムは、無線通信のためのアンテナを複数有するコンピュータに行わせるプログラムであって、携帯型通信装置または他の情報処理装置の位置を特定するために用いられるアンテナの位置を示すアンテナ位置情報を携帯型通信装置または他の情報処理装置に供給するように制御する供給制御ステップと、他の情報処理装置より供給された、他の情報処理装置において撮影されて得られた画像データを取得するように制御する取得制御ステップと、取得制御ステップの処理により取得された画像データに対して、携帯型通信装置の他の情報処理装置からの相対位置に基づいて、携帯型通信装置に対応するID情報が付加されている場合、画像データおよびID情報を互いに関連付けて記憶するように制御する記憶制御ステップとを含むことを特徴とするコンピュータが読み取り可能なプログラムである。
【００４３】
本発明の第２のプログラムは、無線通信のためのアンテナを複数有するコンピュータに行わせるプログラムであって、携帯型通信装置または他の情報処理装置の位置を特定するために用いられるアンテナの位置を示すアンテナ位置情報を携帯型通信装置または他の情報処理装置に供給するように制御する供給制御ステップと、他の情報処理装置より供給された、他の情報処理装置において撮影されて得られた画像データを取得するように制御する取得制御ステップと、取得制御ステップの処理により取得された画像データに対して、携帯型通信装置の他の情報処理装置からの相対位置に基づいて、携帯型通信装置に対応するID情報が付加されている場合、画像データおよびID情報を互いに関連付けて記憶するように制御する記憶制御ステップとをコンピュータに実行させる。
【００４５】
本発明の情報処理システムにおいては、無線通信により互いに通信を行う携帯型通信装置、第１の情報処理装置および第２の情報処理装置が備えられ、携帯型通信装置においては、識別情報を含むID情報が記憶されており、第２の情報処理装置が有する無線通信のためのアンテナの位置を示すアンテナ位置情報が取得され、その取得されたアンテナ位置情報に基づいて、携帯型通信装置の現在の位置を示す携帯型通信装置位置情報が算出されて記憶され、その携帯型通信装置位置情報にID情報が付加され、そのID情報が付加された携帯型通信装置位置情報が第１の情報処理装置に供給され、第１の情報処理装置においては、アンテナ位置情報が取得され、そのアンテナ位置情報に基づいて、第１の情報処理装置の現在の位置を示す第１の情報処理装置位置情報が算出されて記憶され、携帯型通信装置位置情報およびID情報が取得され、その携帯型通信装置位置情報、および、第１の情報処理装置位置情報に基づいて、撮影可能範囲に携帯型通信装置が存在するか否かが判定され、撮影可能範囲に携帯型通信装置が存在すると判定された場合、撮影可能範囲に対応する、撮影により得られた画像データに、ID情報が付加され、そのID情報が付加された画像データが第２の情報処理装置に供給され、アンテナを複数有する第２の情報処理装置においては、そのアンテナ位置情報が携帯型通信装置または第１の情報処理装置に供給され、画像データが取得され、その画像データにID情報が付加されている場合、画像データおよびID情報が互いに関連付けられて記憶される。
【００４６】
本発明の第１の情報処理装置および方法、並びにプログラムにおいては、被写体が撮影され、他の情報処理装置が有する無線通信のためのアンテナの位置を示すアンテナ位置情報が取得され、そのアンテナ位置情報に基づいて、情報処理装置の現在の位置を示す現在位置情報が算出されて記憶され、携帯型通信装置の位置を示す携帯型通信装置位置情報および携帯型通信装置に対応するID情報が取得され、その携帯型通信装置位置情報、および、現在位置情報に基づいて、撮影可能範囲に携帯型通信装置が存在するか否かが判定され、撮影可能範囲に携帯型通信装置が存在すると判定された場合、撮影可能範囲に対応する、撮影により得られた画像データに、ID情報が付加され、そのID情報が付加された画像データが第２の情報処理装置に供給される。
【００４７】
本発明の第２の情報処理装置および方法、並びにプログラムにおいては、携帯型通信装置または他の情報処理装置の位置を特定するために用いられるアンテナの位置を示すアンテナ位置情報が携帯型通信装置または他の情報処理装置に供給され、他の情報処理装置より供給された、他の情報処理装置において撮影されて得られた画像データが取得され、その画像データに対して、携帯型通信装置の他の情報処理装置からの相対位置に基づいて、携帯型通信装置に対応するID情報が付加されている場合、画像データおよびID情報が互いに関連付けて記憶される。
【００４８】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００４９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、即ち、将来、分割出願されたり補正により追加されたりする発明の存在を否定するものではない。
【００５５】
本発明の情報処理システムは、無線通信により互いに通信を行う携帯型通信装置（例えば、図２９の携帯型通信装置３００）、第１の情報処理装置（例えば、図３２の撮影装置２６５および図３３の撮影側通信装置３３０）および第２の情報処理装置（例えば、図３５の管理サーバ２４１）を備える情報処理システムであって、携帯型通信装置は、識別情報を含むID情報を記憶する第１の記憶手段（例えば、図２９のID情報記憶部６２）と、第２の情報処理装置が有する無線通信のためのアンテナ（例えば、図２７のアンテナ２５１乃至２５７）の位置を示すアンテナ位置情報を取得する第１の取得手段（例えば、図２９の通信部６１）と、第１の取得手段により取得されたアンテナ位置情報に基づいて、携帯型通信装置の現在の位置を示す携帯型通信装置位置情報を算出する第１の算出手段（例えば、図３６のステップＳ１５４の処理を実行する図２９のCPU５１）と、第１の算出手段により算出された携帯型通信装置位置情報を記憶する第２の記憶手段（例えば、図２９の位置情報記憶部３１２）と、第２の記憶手段により記憶されている携帯型通信装置位置情報に、第１の記憶手段により記憶されているID情報を付加し、ID情報が付加された携帯型通信装置位置情報を第１の情報処理装置に供給する第１の供給手段（例えば、図２９の通信部６１）とを備え、第１の情報処理装置は、被写体を撮影する撮影手段（例えば、図３２のカメラ１５）と、アンテナ位置情報を取得する第２の取得手段（例えば、図３３の通信部３５３）と、第２の取得手段により取得されたアンテナ位置情報に基づいて、第１の情報処理装置の現在の位置を示す第１の情報処理装置位置情報を算出する第２の算出手段（例えば、図３８のステップＳ１７４の処理を実行する図３３のCPU３４１）と、第２の算出手段により算出された第１の情報処理装置位置情報を記憶する第３の記憶手段（例えば、図３３の位置情報記憶部３５５）と、第１の供給手段により供給される携帯型通信装置位置情報およびID情報を取得する第３の取得手段（図３３の通信部３５３）と、第３の取得手段により取得された携帯型通信装置位置情報、および、第３の記憶手段により記憶されている第１の情報処理装置位置情報に基づいて、撮影手段の撮影可能範囲に携帯型通信装置が存在するか否かを判定する判定手段（例えば、図４１のステップＳ２３５の処理を実行する図３３のCPU３４１）と、判定手段により撮影可能範囲に携帯型通信装置が存在すると判定された場合、撮影可能範囲に対応する、撮影手段の撮影により得られた画像データに、第３の取得手段により取得されたID情報を付加し、ID情報が付加された画像データを第２の情報処理装置に供給する第２の供給手段（図３３の通信部３５３）とを備え、第２の情報処理装置は、アンテナを複数有し、アンテナ位置情報を携帯型通信装置または第１の情報処理装置に供給する第３の供給手段（例えば、図３５の通信部３８１）と、画像データを取得する第４の取得手段（例えば、図３５の通信部３８１）と、第４の取得手段により取得された画像データにID情報が付加されている場合、画像データおよびID情報を互いに関連付けて記憶する第４の記憶手段（例えば、図３５のデータベース１８３）とを備えることを特徴とする。
【００５９】
前記情報処理システムは、第２の情報処理装置とネットワークを介して接続される第３の情報処理装置（例えば、図４４の端末装置４１０）をさらに備え、第２の情報処理装置は、第４の記憶手段により記憶されている画像データを要求する要求情報を取得する第５の取得手段（例えば、図３５の通信部３８１）と、第５の取得手段により取得された要求情報に基づいて、第４の記憶手段に記憶されている画像データを第３の情報処理装置に供給する第４の供給手段（例えば、図３５の通信部３８１）とをさらに備え、第３の情報処理装置は、要求情報を第２の情報処理装置に供給する第５の供給手段（例えば、図４５の通信部４２４）と、画像データを取得する第６の取得手段（例えば、図４５の通信部４２４）とを備えるようにすることができる。
【００６０】
本発明の第１の情報処理装置（例えば、図３２の撮影装置２６５および図３３の撮影側通信装置３３０）は、被写体を撮影する撮影手段（例えば、図３２のカメラ１５）と、他の情報処理装置（例えば、図３５の管理サーバ２４１）が有する無線通信のためのアンテナ（例えば、図２７のアンテナ２５１乃至２５７）の位置を示すアンテナ位置情報を取得する第１の取得手段（例えば、図３３の通信部３５３）と、第１の取得手段により取得されたアンテナ位置情報に基づいて、情報処理装置の現在の位置を示す現在位置情報を算出する算出手段（例えば、図３８のステップＳ１７４の処理を実行する図３３のCPU３４１）と、算出手段により算出された現在位置情報を記憶する記憶手段（例えば、図３３の位置情報記憶部３５５）と、携帯型通信装置（例えば、図２９の携帯型通信装置３００）の位置を示す携帯型通信装置位置情報および携帯型通信装置に対応するID情報を取得する第２の取得手段（図３３の通信部３５３）と、第２の取得手段により取得された携帯型通信装置位置情報、および、記憶手段により記憶されている現在位置情報に基づいて、撮影手段の撮影可能範囲に携帯型通信装置が存在するか否かを判定する判定手段（例えば、図４１のステップＳ２３５の処理を実行する図３３のCPU３４１）と、判定手段により撮影可能範囲に携帯型通信装置が存在すると判定された場合、撮影可能範囲に対応する、撮影手段の撮影により得られた画像データに、第２の取得手段により取得されたID情報を付加し、ID情報が付加された画像データを第２の情報処理装置に供給する供給手段（図３３の通信部３５３）とを備えることを特徴とする。
【００６６】
本発明の第１の情報処理方法は、被写体の撮影を制御する撮影制御ステップ（例えば、図５のステップＳ１）と、他の情報処理装置（例えば、図３５の管理サーバ２４１）が有する無線通信のためのアンテナ（例えば、図２７のアンテナ２５１乃至２５７）の位置を示すアンテナ位置情報を取得するように制御する第１の取得制御ステップ（例えば、図３８のステップＳ１７２）と、第１の取得制御ステップの処理により制御されて取得されたアンテナ位置情報に基づいて、情報処理装置の現在の位置を示す現在位置情報を算出する算出ステップ（例えば、図３８のステップＳ１７４）と、算出ステップの処理により算出された現在位置情報を記憶するように制御する記憶制御ステップ（例えば、図３８のステップＳ１７５）と、携帯型通信装置（例えば、図２９の携帯型通信装置３００）の位置を示す携帯型通信装置位置情報および携帯型通信装置に対応するID情報を取得するように制御する第２の取得制御ステップ（例えば、図４１のステップＳ２３１）と、第２の取得制御ステップの処理により制御されて取得された携帯型通信装置位置情報、および、記憶制御ステップの処理により制御されて記憶されている現在位置情報に基づいて、撮影制御ステップの処理により制御される撮影の撮影可能範囲に携帯型通信装置が存在するか否かを判定する判定ステップ（例えば、図４１のステップＳ２３５）と、判定ステップの処理により撮影可能範囲に携帯型通信装置が存在すると判定された場合、撮影可能範囲に対応する、撮影により得られた画像データに、第２の取得制御ステップの処理により制御されて取得されたID情報を付加し、ID情報が付加された画像データを他の情報処理装置に供給するように制御する供給制御ステップ（例えば、図４１のステップＳ２３６およびステップＳ２３７）とを含むことを特徴とする。
【００６７】
本発明の第１の記録媒体のプログラムは、被写体の撮影を制御する撮影制御ステップ（例えば、図５のステップＳ１）と、他の情報処理装置（例えば、図３５の管理サーバ２４１）が有する無線通信のためのアンテナ（例えば、図２７のアンテナ２５１乃至２５７）の位置を示すアンテナ位置情報を取得するように制御する第１の取得制御ステップ（例えば、図３８のステップＳ１７２）と、第１の取得制御ステップの処理により制御されて取得されたアンテナ位置情報に基づいて、情報処理装置の現在の位置を示す現在位置情報を算出する算出ステップ（例えば、図３８のステップＳ１７４）と、算出ステップの処理により算出された現在位置情報を記憶するように制御する記憶制御ステップ（例えば、図３８のステップＳ１７５）と、携帯型通信装置（例えば、図２９の携帯型通信装置３００）の位置を示す携帯型通信装置位置情報および携帯型通信装置に対応するID情報を取得するように制御する第２の取得制御ステップ（例えば、図４１のステップＳ２３１）と、第２の取得制御ステップの処理により制御されて取得された携帯型通信装置位置情報、および、記憶制御ステップの処理により制御されて記憶されている現在位置情報に基づいて、撮影制御ステップの処理により制御される撮影の撮影可能範囲に携帯型通信装置が存在するか否かを判定する判定ステップ（例えば、図４１のステップＳ２３５）と、判定ステップの処理により撮影可能範囲に携帯型通信装置が存在すると判定された場合、撮影可能範囲に対応する、撮影により得られた画像データに、第２の取得制御ステップの処理により制御されて取得されたID情報を付加し、ID情報が付加された画像データを他の情報処理装置に供給するように制御する供給制御ステップ（例えば、図４１のステップＳ２３６およびステップＳ２３７）とを含むことを特徴とする。
【００６８】
本発明の第１のプログラムは、被写体の撮影を制御する撮影制御ステップ（例えば、図５のステップＳ１）と、他の情報処理装置（例えば、図３５の管理サーバ２４１）が有する無線通信のためのアンテナ（例えば、図２７のアンテナ２５１乃至２５７）の位置を示すアンテナ位置情報を取得するように制御する第１の取得制御ステップ（例えば、図３８のステップＳ１７２）と、第１の取得制御ステップの処理により制御されて取得されたアンテナ位置情報に基づいて、情報処理装置の現在の位置を示す現在位置情報を算出する算出ステップ（例えば、図３８のステップＳ１７４）と、算出ステップの処理により算出された現在位置情報を記憶するように制御する記憶制御ステップ（例えば、図３８のステップＳ１７５）と、携帯型通信装置（例えば、図２９の携帯型通信装置３００）の位置を示す携帯型通信装置位置情報および携帯型通信装置に対応するID情報を取得するように制御する第２の取得制御ステップ（例えば、図４１のステップＳ２３１）と、第２の取得制御ステップの処理により制御されて取得された携帯型通信装置位置情報、および、記憶制御ステップの処理により制御されて記憶されている現在位置情報に基づいて、撮影制御ステップの処理により制御される撮影の撮影可能範囲に携帯型通信装置が存在するか否かを判定する判定ステップ（例えば、図４１のステップＳ２３５）と、判定ステップの処理により撮影可能範囲に携帯型通信装置が存在すると判定された場合、撮影可能範囲に対応する、撮影により得られた画像データに、第２の取得制御ステップの処理により制御されて取得されたID情報を付加し、ID情報が付加された画像データを他の情報処理装置に供給するように制御する供給制御ステップ（例えば、図４１のステップＳ２３６およびステップＳ２３７）とをコンピュータに実行させる。
【００６９】
本発明の第２の情報処理装置（例えば、図３５の管理サーバ２４１）は、無線通信のためのアンテナ（例えば、図２７のアンテナ２５１乃至２５７）を複数有し、携帯型通信装置（例えば、図２９の携帯型通信装置３００）または他の情報処理装置（例えば、図３２の撮影装置２６５および図３３の撮影側通信装置３３０）の位置を特定するために用いられるアンテナの位置を示すアンテナ位置情報を携帯型通信装置または他の情報処理装置に供給する供給手段（例えば、図３５の通信部３８１）と、他の情報処理装置より供給された、他の情報処理装置において撮影されて得られた画像データを取得する取得手段（例えば、図３５の通信部３８１）と、取得手段により取得された画像データに対して、携帯型通信装置の他の情報処理装置からの相対位置に基づいて、携帯型通信装置に対応するID情報が付加されている場合、画像データおよびID情報を互いに関連付けて記憶する記憶手段（例えば、図３５のデータベース１８３）とを備えることを特徴とする。
【００７３】
本発明の第２の情報処理方法は、無線通信のためのアンテナ（例えば、図２７のアンテナ２５１乃至２５７）を複数有する情報処理装置（例えば、図３５の管理サーバ２４１）の情報処理方法であって、携帯型通信装置（例えば、図２９の携帯型通信装置３００）または他の情報処理装置（例えば、図３２の撮影装置２６５および図３３の撮影側通信装置３３０）の位置を特定するために用いられるアンテナの位置を示すアンテナ位置情報を携帯型通信装置または他の情報処理装置に供給するように制御する供給制御ステップ（例えば、図３９のステップＳ１９３またはステップＳ１９６）と、他の情報処理装置より供給された、他の情報処理装置において撮影されて得られた画像データを取得するように制御する取得制御ステップ（例えば、図４２のステップＳ２５１）と、取得制御ステップの処理により取得された画像データに対して、携帯型通信装置の他の情報処理装置からの相対位置に基づいて、携帯型通信装置に対応するID情報が付加されている場合、画像データおよびID情報を互いに関連付けて記憶するように制御する記憶制御ステップ（例えば、図４２のステップＳ２５２）とを含むことを特徴とする。
【００７４】
本発明の第２の記録媒体のプログラムは、無線通信のためのアンテナ（例えば、図２７のアンテナ２５１乃至２５７）を複数有する情報処理装置（例えば、図３５の管理サーバ２４１）の情報処理方法であって、携帯型通信装置（例えば、図２９の携帯型通信装置３００）または他の情報処理装置（例えば、図３２の撮影装置２６５および図３３の撮影側通信装置３３０）の位置を特定するために用いられるアンテナの位置を示すアンテナ位置情報を携帯型通信装置または他の情報処理装置に供給するように制御する供給制御ステップ（例えば、図３９のステップＳ１９３またはステップＳ１９６）と、他の情報処理装置より供給された、他の情報処理装置において撮影されて得られた画像データを取得するように制御する取得制御ステップ（例えば、図４２のステップＳ２５１）と、取得制御ステップの処理により取得された画像データに対して、携帯型通信装置の他の情報処理装置からの相対位置に基づいて、携帯型通信装置に対応するID情報が付加されている場合、画像データおよびID情報を互いに関連付けて記憶するように制御する記憶制御ステップ（例えば、図４２のステップＳ２５２）とを含むことを特徴とするコンピュータが読み取り可能なプログラムである。
【００７５】
本発明の第２のプログラムは、無線通信のためのアンテナ（例えば、図２７のアンテナ２５１乃至２５７）を複数有する情報処理装置（例えば、図３５の管理サーバ２４１）の情報処理方法であって、携帯型通信装置（例えば、図２９の携帯型通信装置３００）または他の情報処理装置（例えば、図３２の撮影装置２６５および図３３の撮影側通信装置３３０）の位置を特定するために用いられるアンテナの位置を示すアンテナ位置情報を携帯型通信装置または他の情報処理装置に供給するように制御する供給制御ステップ（例えば、図３９のステップＳ１９３またはステップＳ１９６）と、他の情報処理装置より供給された、他の情報処理装置において撮影されて得られた画像データを取得するように制御する取得制御ステップ（例えば、図４２のステップＳ２５１）と、取得制御ステップの処理により取得された画像データに対して、携帯型通信装置の他の情報処理装置からの相対位置に基づいて、携帯型通信装置に対応するID情報が付加されている場合、画像データおよびID情報を互いに関連付けて記憶するように制御する記憶制御ステップ（例えば、図４２のステップＳ２５２）とをコンピュータに実行させる。
【００７６】
図１は、本発明を適用した情報処理システムの構成例を示す図である。
【００７７】
この構成例において、撮影者１が携帯する撮影装置２は、通信部３を内蔵しており、撮影者１に操作されて被写体４を撮影するとともに、アンテナ３Ａを介して被写体４が携帯する携帯型通信装置５と無線通信を行う。
【００７８】
携帯型通信装置５は、携帯型通信装置５を識別するための識別情報を含むＩＤ情報を記憶しており、アンテナ５Ａを介して撮影装置２と通信を行い、記憶しているＩＤ情報を撮影装置２に供給する。
【００７９】
撮影装置２は、撮影者１に操作されて被写体４を撮影すると、内蔵する通信部３を制御して、アンテナ３Ａを介して携帯型通信装置５と通信を行い、ＩＤ情報を取得し、撮影画像に対応する画像データと関連付けて記憶する。
【００８０】
以上のように、被写体４が携帯する携帯型通信装置５のＩＤ情報を、被写体４を撮影した撮影画像に対応する画像データと関連付けて記憶することにより、撮影された被写体を識別することができ、後述するように、容易に特定の被写体が撮影された撮影画像に対応する画像データを読み出すことができる。
【００８１】
例えば、パーティ等のイベントの会場において、参加者が入場する際にそれぞれ異なるID情報を記憶している携帯型通信装置を携帯させる。そして、会場内において、スタッフが撮影装置２を用いて参加者を撮影する。その際、撮影画像に対応する画像データは、撮影された参加者が携帯する携帯型通信装置が供給したID情報と関連付けて記憶される。そして、イベント終了後、参加者が会場を退出する際に、スタッフは、参加者が携帯している携帯型通信装置のID情報に基づいて、参加者が撮影されている画像をその参加者に提供する。
【００８２】
これにより、参加者は、カメラを持参しなくても、イベントの会場内において自分が撮影された撮影画像を容易に入手することができる。
【００８３】
なお、提供方法としては、スタッフが撮影画像を画像データのままフロッピディスクやCD-R（Compact Disk - Recordable）などに記憶させて提供するようにしてもよいし、選択された撮影画像を紙等に印刷してから提供するようにしてもよい。
【００８４】
また、携帯型通信装置は、どのような形状でもよく、例えば、帽子、お面、バッチ、ワッペン等のように、会場の雰囲気を壊さず、参加者が携帯するのに不便でないものにするのが好ましい。
【００８５】
さらに、参加者が入場する際に、希望する参加者にのみ貸与または提供するようにしてもよい。その場合、携帯型通信装置を、撮影者により参加者が携帯型通信装置を携帯していることを認識し易い形状にすると、撮影者が、サービスの対象者である携帯型通信装置を携帯している参加者を中心に撮影を行うことができる。
【００８６】
以上のような撮影サービスにおいて、料金を課金する場合、課金方法として、入場料等の参加費に所定の金額が含まれるようにしてもよいし、携帯型通信装置を所定の金額で貸与若しくは販売するようにしてもよいし、退場時に参加者に提供する撮影画像の枚数に応じて課金するようにしてもよいし、その他の方法であっても、もちろんよい。また、これらの方法を組み合わせてもよい。
【００８７】
図２は、図１の撮影装置２の内部の構成例を示すブロック図である。
【００８８】
CPU（Central Processing Unit）１１は、ROM（Read Only Memory）１２に記憶されているプログラムからRAM（Random Access Memory）１３にロードしたプログラムに従って撮影装置２の全体の動作を、バス２０を介して制御する。RAM１３にはまた、CPU１１が各種の処理を実行する上において必要なデータなどが適宜記憶される。
【００８９】
撮影部１４には、CCD（Charge Coupled Device）、あるいはCMOS（Complementary Metal Oxide Semiconductor）などの撮像素子や撮影レンズなどよりなるカメラ１５、およびカメラ制御部１６が配置されている。カメラ１５は、ユーザの指示に基づいて、被写体の画像を取り込み（撮影し）、カメラ制御部１６は、ユーザによるカメラ１５の調節要求に応じて、カメラ１５のズーム率、取り込む光量などを制御する。
【００９０】
操作部２１は、撮影ボタンや調整レバー等により構成されている。ユーザは操作部２１を操作して、撮影やカメラ１５の調整等の指示を入力し、撮影装置２を操作する。なお、操作部２１は、ボタンおよびレバー以外にも、例えば、キーボードまたはタッチパッド等のような、入力装置であって上記の操作ができるものであれば何でもよい。
【００９１】
モニタ２２は、CRT(Cathode Ray Tube)やLCD(Liquid Crystal Display)などよりなり、撮影部１４のカメラ１５により撮影された撮影画像を表示する。また、操作の案内、電池残量、または撮影枚数等の各種情報が表示されることが好ましい。
【００９２】
記憶部２３は、カメラ１５が撮影した撮影画像に対応する画像データを、通信部３によりアンテナ３Ａを介して取得されたＩＤ情報に関連付けて記憶する。
【００９３】
通信部３は、CPU１１に制御され、アンテナ３Ａを介して携帯型通信装置５と無線通信を行う。
【００９４】
また、撮影装置２のバス２０には、必要に応じてドライブ３０が接続され、磁気ディスク３１（フロッピディスクを含む）、光ディスク３２（CD-ROM(Compact Disk-Read Only Memory),DVD(Digital Versatile Disk)を含む）、光磁気ディスク３３（ＭＤ（Mini-Disk）を含む）、または、ＣＦ（Compact Flash）或いはＭＳ（Memory Stick）のような半導体メモリ３４などが適宜装着され、それらから読み出されたコンピュータプログラムが、必要に応じて記憶部２３またはRAM１３にインストールされる。
【００９５】
以上のような構成の撮影装置２において、カメラ１５により撮影された撮影画像に対応する画像データ、および、通信部３によりアンテナ３Ａを介して取得されたＩＤ情報は、CPU１１に制御され、ドライブ３０を介して、磁気ディスク３１、光磁気ディスク３３、または半導体メモリ３４に記憶されてもよい。また、記憶部２３に記憶されているID情報および対応する画像データが、CPU１１に制御されて、ドライブ３０を介して、磁気ディスク３１、光磁気ディスク３３、または半導体メモリ３４に記憶されるようにしてもよい。また、光ディスク３２が書き込み可能なＣＤ−Ｒ、ＣＤ−ＲＷ，DVD−RAMタイプのドライブおよびディスクであればこれに記録してもよい。
【００９６】
また、アンテナ３Ａには、例えば、八木アンテナやパラボラアンテナ等のように、通信範囲に指向性のある指向性アンテナを用いて、図３に示すように通信可能な範囲である通信範囲と撮影可能な範囲である撮影範囲とを近似させるようにしてもよい。
【００９７】
図３は、通信範囲と撮影範囲の関係の例を示す模式図である。
【００９８】
図３において、撮影装置２のアンテナ３Ａには指向性アンテナが用いられており、その通信範囲４２は、撮影装置２の前方を中心としており、撮影装置２が撮影範囲４１と似たような範囲となっている。これにより、通信範囲４２内に存在し、通信部３がアンテナ３Ａを介して無線通信可能な携帯型通信装置５は、撮影範囲４１内に存在する被写体４が携帯しているとみなすことができる。すなわち、携帯型通信装置５が通信範囲４２内に存在するか否かで、携帯型通信装置５を携帯する被写体４が撮影範囲４１内に存在するか否かを判定することができる。
【００９９】
図４は、携帯型通信装置５の内部の構成例を示すブロック図である。
【０１００】
CPU５１は、ROM５２に記憶されているプログラムからRAM５３にロードしたプログラムに従って携帯型通信装置５の全体の動作を、バス６０を介して制御する。RAM５３にはまた、CPU５１が各種の処理を実行する上において必要なデータなどが適宜記憶される。
【０１０１】
通信部６１は、CPU５１により制御され、アンテナ５Ａを介して、撮影装置２と無線通信を行い、ＩＤ情報記憶部６２に記憶されているＩＤ情報を供給する。
【０１０２】
ＩＤ情報記憶部６２には、携帯型通信装置５を識別するための識別情報を含むＩＤ情報が予め記憶されており、そのID情報は、CPU５１等により読み出され、通信部６１によりアンテナ５Ａを介して送信される。
【０１０３】
なお、ＩＤ情報記憶部６２が記憶するＩＤ情報は、携帯型通信装置５の識別情報の他にも、例えば、携帯型通信装置５を携帯する被写体４に関する情報等、その他の情報を含んでいてもよい。
【０１０４】
また、携帯型通信装置５のバス６０には、必要に応じてドライブ７０が接続され、磁気ディスク７１、光ディスク７２、光磁気ディスク７３、或いは半導体メモリ７４などが適宜装着され、それらから読み出されたコンピュータプログラムが、必要に応じてRAM５３にインストールされる。
【０１０５】
次に図５のフローチャートを参照して、撮影装置２による撮影処理を説明する。
【０１０６】
最初にステップＳ１において、CPU１１は、調整処理を行い、撮影を行う。CPU１１は、撮影者１が操作部２１を操作することにより入力された指示に基づいて、撮影部１４のカメラ制御部１６を制御して、カメラ１５の調整処理を行い、カメラ１５を制御して、撮影処理を行い、取り込まれた撮影画像に対応する画像データを作成し、RAM１３等に保持させる。
【０１０７】
そして、ステップＳ２において、CPU１１は、ID要求情報を送信する。CPU１１は、通信部３を制御して、ID情報を要求する情報であるID要求情報を、アンテナ３Ａを介して、通信範囲内に存在する携帯型通信装置に送信する。
【０１０８】
ＩＤ要求情報を送信したCPU１１は、ステップＳ３において、ＩＤ情報の受信を開始する。CPU１１は、通信部３を制御して、アンテナ３Ａを介して、携帯型通信装置より送信されるID情報を受信する。
【０１０９】
ステップＳ４において、CPU１１は、通信部３を制御して、ID情報を受信したか否かを判定する。受信したと判定した場合、CPU１１は、ステップＳ５に進み、RAM１３等に保持されている画像データに受信したID情報を付加し、記憶部２３に記憶する。
【０１１０】
図６は、画像データおよびID情報が記憶部２３に記憶される様子の例を示した模式図である。図６Ａに示すように、CPU１１は、受信したID情報８２を、画像データ８１のヘッダ等に付加して記憶部２３に記憶する。また、被写体が複数存在し、受信したＩＤ情報が複数存在する場合、図６Ｂに示すように、CPU１１は、受信したＩＤ情報８３および８４を、画像データ８１のヘッダ等に付加して記憶部２３に記憶する。
【０１１１】
また、CPU１１は、図６Cに示すように、受信したID情報８２を画像データ８１に付加せずに、画像データ８１およびID情報８２を別々に記憶部２３に記憶し、管理情報等により対応させて管理するようにしてもよい。なお、受信したID情報が複数の場合も同様に、図６Dに示すように、CPU１１が、受信したID情報８３および８４を画像データ８１に付加せずに、記憶部２３にそれぞれ記憶し、管理情報等により対応させて管理するようにしてもよい。
【０１１２】
図５に戻り、記憶部２３にID情報および対応する画像データを記憶させたCPU１１は、撮影処理を終了する。
【０１１３】
また、ステップＳ４において、ID情報を受信していないと判定した場合、CPU１１は、ステップＳ６に進み、RAM１３等に保持されている画像データを記憶部２３に記憶し、撮影処理を終了する。
【０１１４】
なお、特別なケースでは、ステップＳ２乃至Ｓ６の処理を以下のようにしてもよい。例えば、連写の場合は、ステップＳ１の撮影後、すぐにもう一度ステップＳ１の処理を繰り返し行い、連写後にまとめて、それぞれについて、ステップＳ２乃至Ｓ６の処理を行ってもいいし、２枚目から最後の１枚の一つ前までの処理に対してはステップＳ２乃至Ｓ６をキャンセルするようにしても良い。このとき、連写した画像には、１枚目と最後のＳ２乃至Ｓ６でＩＤを取得して、すべてのＩＤを関連付けるとよい。
【０１１５】
次に図７のフローチャートを参照して、携帯型通信装置による通信処理を説明する。
【０１１６】
最初に、ステップＳ２１において、携帯型通信装置５のCPU５１は、撮影装置２より送信されたID要求情報を受信したか否かを判定し、受信したと判定するまで待機する。
【０１１７】
ID要求情報を受信したと判定した場合、CPU５１は、ステップＳ２２に進み、ＩＤ情報を読み出し、送信する。CPU５１は、ID情報記憶部６２に予め記憶されているID情報を読み出し、通信部６１を制御して、アンテナ５Ａを介して送信する。ＩＤ情報を送信したCPU５１は、ステップＳ２１に戻り、それ以降の処理を繰り返す。
【０１１８】
以上のように、携帯型通信装置５よりＩＤ情報が撮影装置２に供給されることで、撮影装置２は、撮影画像に対応する画像データとＩＤ情報を関連付けて記憶することができる。
【０１１９】
次に、図８のフローチャートを参照して、撮影装置２による読み取り処理を説明する。
【０１２０】
最初にステップＳ３１において、CPU１１は、入力されたID情報に基づいて、画像データを検索する。CPU１１は、撮影者等が操作部２１を操作する等して入力されたID情報に基づいて、記憶部２３に記憶されている画像データの中から、対応する画像データを検索する。
【０１２１】
ステップＳ３２において、CPU１１は、該当する画像データが存在するか否かを判定する。該当する画像データが存在すると判定した場合、CPU１１は、ステップＳ３３に進み、検索された画像データを取得し、出力する。例えば、CPU１１は、画像データを取得すると、対応する画像をモニタ２２に表示したり、バス２０に接続されたドライブ３０を介して、磁気ディスク３１、光ディスク３２、光磁気ディスク３３、または半導体メモリ３４に記録したりする。また、通信部３を制御して、他の情報処理装置等に送信するようにしてもよい。
【０１２２】
画像データを出力したCPU１１は、読み取り処理を終了する。また、ステップＳ３２において、該当する画像データが存在しないと判定した場合、CPU１１は、読み取り処理を終了する。
【０１２３】
以上のように、ユーザは、ID情報に基づいて撮影画像に対応する画像データを検索し、読み出すことができるので、容易に目的の撮影画像を取得することができる。
【０１２４】
以上において、撮影画像を提供するように説明したが、静止画像に限らず、撮影装置２で動画を録画するようにし、動画像を提供するようにしてもよい。動画の場合、撮影装置２も被写体も移動するので、数秒に１度は、図５のステップＳ２乃至Ｓ６を判断するように割り込みＩＤ確認を平行して行うとよい。
【０１２５】
また、例えば、携帯型通信装置を携帯する複数のユーザが１つのグループを構成する場合、撮影画像を個人単位で提供する必要がないこともある。例えば、家族でイベントに参加した場合等は、家族単位でまとめて撮影画像を提供するほうがよい場合もある。このような状況に対処するために、携帯型通信装置を識別するID情報に、複数の携帯型通信装置で構成されるグループを識別するグループ識別情報を含むようにしてもよい。
【０１２６】
図９は、グループ識別情報を含むID情報の様子の例を示す模式図である。
【０１２７】
図９において、第１グループ９０は、ユーザ９１Ａ，９１Ｂ、および９１Ｃにより構成される。ユーザ９１Ａは携帯型通信装置９２Ａを携帯しており、ユーザ９１Ｂは携帯型通信装置９２Ｂを携帯しており、そして、ユーザ９１Ｃは携帯型通信装置９２Ｃを携帯している。携帯型通信装置９２ＡはＩＤ情報記憶部に、固有のＩＤとして「ＸＸ」を記憶し、また、グループＩＤとして「ＡＡＡＡ」を記憶している。
【０１２８】
同様に、携帯型通信装置９２ＢのＩＤ情報記憶部には、固有のＩＤとして「ＹＹ」が記憶され、また、グループＩＤとして「ＡＡＡＡ」が記憶されている。さらに、携帯型通信装置９２ＣのＩＤ情報記憶部には、固有のＩＤとして「ＺＺ」が記憶され、また、グループＩＤとして「ＡＡＡＡ」が記憶されている。
【０１２９】
また、第２グループ９５は、ユーザ９６Ａ，９６Ｂ、および９６Ｃにより構成される。ユーザ９６Ａは携帯型通信装置９７Ａを携帯しており、ユーザ９６Ｂは携帯型通信装置９７Ｂを携帯しており、そして、ユーザ９６Ｃは携帯型通信装置９７Ｃを携帯している。携帯型通信装置９７ＡはＩＤ情報記憶部に、固有のＩＤとして「ＰＰ」を記憶し、また、グループＩＤとして「ＢＢＢＢ」を記憶している。
【０１３０】
同様に、携帯型通信装置９７ＡのＩＤ情報記憶部には、固有のＩＤとして「ＱＱ」が記憶され、また、グループＩＤとして「ＢＢＢＢ」が記憶されている。さらに、携帯型通信装置９７ＣのＩＤ情報記憶部には、固有のＩＤとして「ＲＲ」が記憶され、また、グループＩＤとして「ＢＢＢＢ」が記憶されている。
【０１３１】
これにより、例えば、ユーザ９１Ａを撮影した場合、携帯型通信装置９２Ａは、撮影装置２に、ＩＤ情報として固有のＩＤである「ＸＸ」だけでなく、グループＩＤである「ＡＡＡＡ」を供給する。従って、撮影装置２において、ユーザ９１Ａが撮影された画像に対応する画像データは、固有のＩＤ「ＸＸ」だけでなく、グループＩＤ「ＡＡＡＡ」でも検索可能となる。
【０１３２】
以上のように第１グループ９０および第２グループ９５を識別するグループＩＤを設定することにより、撮影装置２において、携帯型通信装置９２Ａ乃至９２Ｃ、並びに携帯型通信装置９７Ａ乃至９７Ｃを個別に識別するだけでなく、第１グループ９０および第２グループ９５を識別するようにすることができ、グループ単位でも撮影画像を提供することができる。
【０１３３】
以上において、ＩＤ情報に固有のＩＤおよびグループＩＤが含まれるように説明したが、これに限らず、グループＩＤのみが含まれるようにしてもよい。また、以上においては、グループＩＤは、同じ数の携帯型通信装置に割り当てるように説明したが、これに限らず、同じグループＩＤを割り当てる携帯型通信装置の数は、何台でもよく、また、グループごとに数が異なってもよい。すなわち、固有のＩＤとグループＩＤとを区別する必要はなく、１つのＩＤを１台の携帯型通信装置に割り当てたり、複数の携帯型通信装置に割り当てたりしてもよい。
【０１３４】
なお、図９に示したＩＤは、２文字または４文字により構成されているが、これに限らず、何文字でもよいし、また、数字など、アルファベット以外の文字であってもよい。
【０１３５】
また、携帯型通信装置にマイク等の録音機能を設けて、画像データだけでなく音声データも提供できるようにしてもよい。
【０１３６】
グループ全員に携帯型通信装置を配布しない場合は、IDにグループである旨のIDを加え、少し広角の画像で記録するようにしてもよい。
【０１３７】
図１０は、携帯型通信装置５の内部の他の構成例を示す図である。
【０１３８】
図１０において、マイク１０１は、携帯型通信装置５を携帯している被写体４の音声を音声データとして取得する。取得された音声データはRAM５３等に保持され、CPU５１によりID情報に付加され、図７に示す場合と同様に、通信部６１によりアンテナ５Ａを介して送信される。
【０１３９】
送信されたＩＤ情報および音声情報は、図５に示すフローの場合と同様に、撮影装置２により受信され、画像データに関連付けされて記憶部２３に記憶される。
【０１４０】
図１１は、画像データおよびID情報の記憶部２３に記憶される様子の他の例を示した模式図である。図１１Ａに示すように、CPU１１は、受信したID情報１０６および対応する音声データ１０７を、画像データ１０５のヘッダ等に付加して記憶部２３に記憶させる。また、被写体が複数存在し、受信したＩＤ情報が複数存在する場合、図１１Ｂに示すように、CPU１１は、受信したＩＤ情報１０６Ａおよび１０６Ｂ、並びに、それぞれに対応する音声データ１０７Ａおよび１０７Ｂを、画像データ１０５のヘッダ等に付加して記憶部２３に記憶させる。
【０１４１】
また、CPU１１は、図１１Cに示すように、受信したID情報１０６および対応する音声データ１０７を画像データ１０５に付加せずに、画像データ１０５、ID情報１０６、および音声データ１０７をそれぞれ別々に記憶部２３に記憶させ、管理情報等により対応させて管理するようにしてもよい。なお、受信したID情報が複数の場合も同様に、図１１Dに示すように、CPU１１が、受信したＩＤ情報１０６Ａおよび１０６Ｂ、並びに、それぞれに対応する音声データ１０７Ａおよび１０７Ｂを画像データ１０５に付加せずに、記憶部２３にそれぞれ記憶させ、管理情報等により対応させて管理するようにしてもよい。
【０１４２】
以上のように構成することにより、画像データだけでなく音声データも提供することができる。
【０１４３】
さらに、携帯型通信装置５にモニタやスピーカ等を設け、撮影画像を受信して表示したり、音声を出力したりすることができるようにしてもよい。すなわち、撮影装置２は撮影を行うと携帯型通信装置５にID情報を要求し、その要求に基づいて携帯型通信装置５は被写体４の音声を録音してID情報とともに撮影装置２に送信する。撮影装置２は、受信したID情報および音声データを画像データに付加して記憶するとともに、ID情報および音声データを供給した携帯型通信装置５に送信する。ID情報および音声データが付加された画像データを受信した携帯型通信装置５は、受信したID情報を登録されているID情報と照合し、一致した場合、受信した画像データに対応する画像をモニタ１１２に表示させ、受信した音声データに対応する音声をスピーカ１１３より出力させる。
【０１４４】
図１２は、携帯型通信装置５の内部のさらに他の構成例を示す図である。
【０１４５】
図１２において、操作部１１１は、ボタン等により構成され、ユーザからの指示を受け付ける。ユーザは操作部１１１を操作することにより、後述するように、取得した画像データに対応する画像をモニタ１１２に表示させたり、音声データに対応する音声をスピーカ１１３より出力させたりする。
【０１４６】
モニタ１１２は、CPU５１に制御され、通信部６１により取得された画像データに対応する画像を表示する。スピーカ１１３は、CPU５１に制御され、通信部６１により取得された音声データに対応する音声を出力する。記憶部１１４は、通信部６１によりアンテナ５Ａを介して受信された画像データおよび音声データを記憶する。
【０１４７】
次に、図１３のフローチャートを参照して、撮影装置２による撮影処理の他の例について説明する。
【０１４８】
最初に、ステップＳ４１において、CPU１１は、図５のステップＳ１の処理と同様に、調整処理を行い、撮影を行う。そして、図５のステップＳ２の処理と同様に、ステップＳ４２において、CPU１１は、ID要求情報を送信する。ＩＤ要求情報を送信したCPU１１は、ステップＳ４３において、ＩＤ情報および音声データの受信を開始する。CPU１１は、通信部３を制御して、アンテナ３Ａを介して、携帯型通信装置より送信されるID情報および音声データを受信する。
【０１４９】
ステップＳ４４において、CPU１１は、通信部３を制御して、ID情報および音声データを受信したか否かを判定する。受信したと判定した場合、CPU１１は、ステップＳ４５に進み、RAM１３等に保持されている画像データに受信したID情報および音声データを付加し、通信部３を制御して、アンテナ３Ａを介して送信する。そして、ステップＳ４６において、CPU１１は、画像データに受信したID情報および音声データを付加して記憶部２３に記憶する。ステップＳ４６の処理を終了したCPU１１は、撮影処理を終了する。
【０１５０】
また、ステップＳ４４において、ID情報および音声データを受信していないと判定した場合、CPU１１は、ステップＳ４７に進み、RAM１３等に保持されている画像データを記憶部２３に記憶し、撮影処理を終了する。
【０１５１】
次に図１４のフローチャートを参照して、携帯型通信装置による通信処理の他の例について説明する。
【０１５２】
最初に、ステップＳ６１において、携帯型通信装置５のCPU５１は、通信部６１を制御して、図１３のステップＳ４２の処理において撮影装置２より送信されたID要求情報を受信したか否かを判定し、受信したと判定するまで待機する。
【０１５３】
ID要求情報を受信したと判定した場合、CPU５１は、ステップＳ６２に進み、録音を行い、音声データを作成する。CPU５１は、マイク１０１を制御して、携帯型通信装置５を携帯する被写体４の音声を所定の時間録音し、RAM５３等に保持させる。
【０１５４】
録音を行ったCPU５１は、ステップＳ６３に進み、ID情報を読み出し、作成した音声データを付加して送信する。CPU５１は、ID情報記憶部６２に予め記憶されているID情報を読み出し、RAM５３等に記憶されている音声データを付加し、通信部６１を制御して、アンテナ５Ａを介して送信する。ID情報を送信したCPU５１は、ステップＳ６４に進み、音声データおよびID情報を付加された画像データを受信したか否かを判定する。CPU５１は、通信部３を制御して、図１３のステップＳ４５の処理において撮影装置２より送信された音声データおよびID情報を付加された画像データを、アンテナ３Ａを介して受信したか否かを判定する。
【０１５５】
受信したと判定した場合、CPU５１は、ステップＳ６５に進み、受信したID情報が登録されているID情報と一致するか否かを判定する。CPU５１は、受信したID情報をID情報記憶部６２に記憶されているID情報と照合し、一致するか否かを判定する。一致したと判定した場合、CPU５１は、ステップＳ６６に進み、受信した画像データおよび音声データを記憶部１１４に記憶し、画像データに対応する画像をモニタ１１２に表示し、音声データに対応する音声をスピーカ１１３より出力する。ステップＳ６６の処理が完了すると、CPU５１は、ステップＳ６１に戻り、それ以降の処理を繰り返す。
【０１５６】
また、ステップＳ６４において、音声データおよびID情報を付加された画像データを受信していないと判定した場合、CPU５１は、ステップＳ６１に戻り、それ以降の処理を繰り返す。
【０１５７】
さらに、ステップＳ６５において、照合の結果、受信したID情報が登録されているID情報と一致しないと判定した場合、CPU５１は、ステップＳ６７に進み、受信した画像データ、音声データ、およびID情報を削除する。ステップＳ６７の処理が完了したCPU５１は、ステップＳ６１に進み、それ以降の処理を繰り返す。
【０１５８】
以上のように構成することで、被写体４は、撮影されたその場で撮影画像を確認することができる。
【０１５９】
以上のような携帯型通信装置５は、専用の通信装置に限らず、同様の機能を有する装置であれば何でもよい。
【０１６０】
図１５は、本発明を適用した情報処理システムの他の構成例を示す図である。この情報処理システムにおいて、携帯型通信装置５の代わりに、例えば、図１５Ａに示すように画像表示機能つき携帯電話機１２１を用いてもよいし、図１５Ｂに示すように、通信機能つきPDA（Personal Digital Assistant）１２２を用いてもよい。
【０１６１】
図１６は、本発明を適用した情報処理システムのさらに他の構成例を示す図である。図１６Ａに示すように、被写体４が携帯通信装置５の他に携帯電話機１２１を携帯し、携帯通信装置５はID情報および音声データを撮影装置２に供給し、撮影装置２は携帯電話機１２１に画像データおよび音声データを供給するようにしてもよい。その際、携帯電話機１２１に関する情報は予め撮影装置２に登録されており、撮影装置２はその情報に基づいて、画像データおよび音声データをEメールに添付するなどして、携帯電話機１２１の基地局１２５を介して携帯電話機１２１に供給するようにしてもよい。
【０１６２】
同様に、図１６Ｂに示すように、被写体４が携帯通信装置５の他にPDA１２２を所有している場合も同様に、撮影装置２は、画像データおよび音声データをＥメールに添付するなどして、PDA１２２が有する通信機能の基地局１２６を介してPDA１２２に供給するようにしてもよい。
【０１６３】
以上のような情報処理システムにおいて、撮影を行う撮影装置は、固定カメラ等のように自動で撮影を行うものであってもよい。また、被写体４が携帯型通信装置５を用いて撮影装置を操作するようにしてもよい。
【０１６４】
図１７は、本発明を適用した情報処理システムのさらに他の構成例を示す図である。
【０１６５】
図１７Ａにおいて、被写体４が携帯する携帯型通信装置５には、図１２に示すように操作部１１１が設けられている。被写体４は、この操作部１１１を操作することにより、撮影装置１３０の動作を制御することができる。撮影装置１３０は通信部１３１を内蔵しており、通信部１３１はアンテナ１３１Ａを介して携帯型通信装置５と無線通信を行う。また、撮影装置１３０は撮影装置固定台１３３により、柱１３２に固定されている。撮影装置固定台１３３は、駆動部を有しており、撮影装置１３０の撮影する方向を横方向または縦方向に変えることができる。なお、被写体4は、操作部１１１を操作することにより、撮影装置１３０を介して、撮影装置固定台１３３の動作を制御することができる。
【０１６６】
例えば、被写体４は、携帯型通信装置５の操作部１１１を操作して、撮影装置固定台１３３を制御して撮影装置１３０を自分の方向に向けて、撮影装置１３０を制御して撮影を行わせることができる。
【０１６７】
また、図１７Ｂに示すように撮影装置１３０は、撮影台１３５に設置されるようにしてもよい。撮影台１３５は駆動部を有しており、撮影装置１３０の撮影する方向を横方向または縦方向に変えることができる。さらに、図示は省略するが、撮影台１３５には底部に車輪等が設けられており、撮影装置１３０は移動可能となっている。なお、被写体4は、操作部１１１を操作することにより、撮影装置１３０を介して、撮影台１３５の動作を制御することができる。
【０１６８】
図１７Ｂに示すような場合においても、図１７Ａに示す場合と同様に、被写体４は、携帯型通信装置５の操作部１１１を操作して、撮影台１３５を制御して撮影装置１３０を自分の方向に向けて、撮影装置１３０を制御して撮影を行わせることができる。
【０１６９】
図１８は撮影装置１３０の内部の構成例を示す図である。
【０１７０】
図１８において、撮影台駆動部１３７は、モータ等の駆動装置により構成されており、撮影装置固定台１３３、または撮影台１３５の駆動部と接続される。通信部１３１がアンテナ１３１Ａを介して被写体４からの指示を受信すると、撮影台駆動部１３７は、CPU１１に制御されて駆動することにより、撮影装置固定台１３３、または撮影台１３５の駆動部を動作させる。
【０１７１】
以上において、被写体４が撮影を指示することにより、撮影装置１３０が撮影を行うように説明したが、これに限らず、例えば、被写体4が操作部１１１を操作すると、携帯型通信装置５が所定の間隔で信号を送信するようにし、撮影装置１３０が、その信号を受信すると、携帯型通信装置５が通信範囲内に存在する（被写体４が撮影範囲内に存在する）と認識し、撮影を行うようにしてもよい。
【０１７２】
以上のように構成することにより、被写体４の指示で撮影を行ったり、被写体４を自動で撮影したりすることができる。
【０１７３】
図１９は、本発明を適用した情報処理システムのさらに他の構成例を示す図である。
【０１７４】
図１９に示す構成例おいて、撮影者１が携帯する撮影装置１４１は、撮影者１に操作されて被写体４を撮影するとともに、被写体４が携帯する携帯型通信装置１４２と無線通信を行い、ID情報や音声データを取得する。また、撮影装置１４１は、中央管理センタ１４３に設置されている管理サーバ１４４と無線通信を行い、撮影画像に対応する画像データ、並びに取得したID情報および音声データを供給する。
【０１７５】
被写体４が携帯する携帯型通信装置１４２は、携帯型通信装置１４２を識別するための識別情報を含むＩＤ情報を記憶しており、撮影装置１４１と無線通信を行い、記憶しているＩＤ情報を供給するとともに、被写体４の音声を録音し、撮影装置１４１に供給する。また、携帯型通信装置１４２は、中央管理センタ１４３に設置されている管理サーバ１４４と無線通信を行い、ID情報、並びに対応する画像データおよび音声データを取得する。そして、取得した画像データに対応する画像を表示し、音声データに対応する音声を出力する。被写体４により、その表示された画像を購入するか否かが指示されると、携帯型通信装置１４２は、管理サーバ１４４と無線通信を行い、決済処理を行なう。
【０１７６】
中央管理センタ１４３に設置されている管理サーバ１４４は、撮影装置用通信部１４５を内蔵しており、撮影装置１４１と無線通信を行う。また、管理サーバ１４４は、携帯型通信装置用通信部１４６を内蔵しており、携帯型通信装置１４２と無線通信を行う。さらに、管理サーバ１４４は、データベース１４７を有しており、撮影装置１４１より供給されたID情報、並びに対応する画像データおよび音声データをデータベース１４７に記憶させて管理する。
【０１７７】
また、中央管理センタ１４３には、決済サーバ１４８が設置されている。決済サーバ１４８は、管理サーバ１４４に接続されており、管理サーバ１４４を介して携帯型通信装置１４２と通信を行い、決済処理を行なう。
【０１７８】
以上のように、ID情報、並びに対応する画像データおよび音声データが、中央管理センタ１４３に設置された管理サーバ１４４に供給され、管理サーバ１４４のデータベース１４７により管理されることにより、複数の撮影装置により撮影された画像を管理することができる。
【０１７９】
例えば、パーティ等のイベントの会場において、撮影装置１４１を携帯する複数のスタッフが参加者を撮影する。その際、撮影画像に対応する画像データは、撮影された参加者が携帯する携帯型通信装置が供給したID情報と関連付けられ、中央管理センタ１４３の管理サーバ１４４に供給され、データベース１４７に記憶される。そして、会場を退出する際に、参加者は、中央管理センタにおいて、参加者が携帯している携帯型通信装置のID情報に基づいて、参加者が撮影されている画像を取得することができる。
【０１８０】
これにより、参加者は、複数のスタッフに撮影された場合においても、各スタッフに画像を提供してもらう必要が無く、管理サーバから一括して取得することができる。
【０１８１】
なお、上述した情報処理システムにおいて、管理サーバ１４４が取得したID情報、並びに対応する画像データおよび音声データをデータベース１４７に記憶するとともに携帯型通信装置１４２に供給し、被写体４が携帯型通信装置１４２に表示された画像を取得するか否かを指示し、その指示に基づいて、決済処理が行われるようにしてもよい。この場合、被写体４は、退場時等に中央管理センタ１４４において、予め指定した画像を取得するだけでよく、取得する画像を選択する手間を省略することができる。
【０１８２】
なお、提供方法としては、撮影画像が画像データのままフロッピディスクやCD-R（Compact Disk - Recordable）などに記憶されて提供されるようにしてもよいし、選択された撮影画像が紙等に印刷されてから提供されるようにしてもよい。
【０１８３】
また、携帯型通信装置は、どのような形状でもよく、例えば、帽子、お面、バッチ、ワッペン等のように、会場の雰囲気を壊さず、参加者が携帯するのに不便でないものにするのが好ましい。
【０１８４】
さらに、参加者が入場する際に、希望する参加者にのみ貸与または提供するようにしてもよい。その場合、携帯型通信装置を、撮影者により参加者が携帯型通信装置を携帯していることを認識し易い形状にすると、撮影者が、サービスの対象者である携帯型通信装置を携帯している参加者を中心に撮影を行うことができる。
【０１８５】
以上のような撮影サービスにおいて、料金を課金する場合、課金方法として、入場料等の参加費に所定の金額が含まれるようにしてもよいし、携帯型通信装置を所定の金額で貸与若しくは販売するようにしてもよいし、退場時に参加者に提供する撮影画像の枚数に応じて課金するようにしてもよいし、その他の方法であっても、もちろんよい。また、これらの方法を組み合わせてもよい。
【０１８６】
図２０は、撮影装置１４１の内部の構成例を示すブロック図である。
【０１８７】
図２０において、携帯型通信装置用通信部１５１は、CPU１１に制御され、アンテナ１５１Ａを介して、携帯型通信装置１４２と無線通信を行い、ＩＤ情報および音声データを取得する。管理サーバ用通信部１５２は、CPU１１に制御され、アンテナ１５２Ａを介して、管理サーバ１４４と無線通信を行い、ＩＤ情報、並びに対応する画像データおよび音声データを送信する。
【０１８８】
なお、携帯型通信装置用通信部１５１および管理サーバ用通信部１５２は、別体として説明したが、これに限らず、一体化してもよい。
【０１８９】
図２１は、携帯型通信装置１４２の内部の構成例を示す図である。
【０１９０】
図２１において、撮影装置用通信部１６１は、CPU５１により制御され、撮影装置１４１より送信されたID要求情報を受信し、そのID要求情報に基づいて、ID情報記憶部６２に記憶されているID情報、および、マイク１０１により録音された被写体４の音声に対応する音声データを撮影装置１４１に送信する。
【０１９１】
管理サーバ用通信部１６２は、CPU５１により制御され、管理サーバ１４４より送信されたID情報、並びに対応する画像データおよび音声データを受信し、RAM５３等に供給し、保持させる。また、管理サーバ用通信部１６２は、CPU５１により制御され、ユーザの指示に基づいて、管理サーバ１４４を介して決済サーバ１４８と通信を行い、決済処理を行う。
【０１９２】
ICカードリーダ／ライタ１６３は、CPU５１に制御され、装着されたICカード１６４に記録された各種の情報を読み出したり、CPU５１より指示された情報を書き込んだりする。ICカード１６４は、プラスチック製カード等に極めて薄い半導体集積回路を埋め込み、情報を記録できるようにしたカードであり、必要に応じてICカードリーダ／ライタ１６３に装着される。また、ICカード１６４は、貨幣価値を表す残高情報を記録しており、決済処理が行われるとその金額が残高情報の残高より減算される。
【０１９３】
図２２は、管理サーバ１４４の内部の構成例を示す図である。
【０１９４】
図２２において、管理サーバ１４４のCPU１７１は、ROM１７２に記憶されているプログラム、またはRAM１７３にロードされたプログラムに従って各種の処理を実行する。RAM１７３にはまた、CPU１７１が各種の処理を実行する上において必要なデータなども適宜記憶される。CPU１７１、ROM１７２、およびRAM１７３は、バス１７４を介して相互に接続されている。このバス１７４にはまた、入出力インタフェース１８０にも接続されている。
【０１９５】
入出力インタフェース１８０には、キーボード、マウスなどよりなる入力部１８１、CRT、LCDなどよりなるディスプレイ、スピーカ、並びにプリンタなどよりなる出力部１８２、ハードディスクなどより構成されるデータベース１８３、モデム、ターミナルアダプタなどより構成され、アンテナ１８４Ａを介して携帯型通信装置と無線通信を行う携帯型通信装置用通信部１８４、モデム、ターミナルアダプタなどより構成され、アンテナ１８５Ａを介して撮影装置と無線通信を行う撮影装置用通信部１８５、モデム、ターミナルアダプタなどより構成され、決済サーバ１４８に接続されている有線用通信部１８６が接続されている。
【０１９６】
入出力インタフェース１８０にはまた、必要に応じてドライブ１９０が接続され、磁気ディスク１９１、光ディスク１９２、光磁気ディスク１９３、或いは半導体メモリ１９４などが適宜装着され、それらから読み出されたコンピュータプログラムが、必要に応じてRAM１７３等にインストールされる。
【０１９７】
図２３は、決済サーバ１４８の内部の構成例を示す図である。
【０１９８】
図２３において、決済サーバ１４８のCPU２０１は、ROM２０２に記憶されているプログラム、またはRAM２０３にロードされたプログラムに従って各種の処理を実行する。RAM２０３にはまた、CPU２０１が各種の処理を実行する上において必要なデータなども適宜記憶される。CPU２０１、ROM２０２、およびRAM２０３は、バス２０４を介して相互に接続されている。このバス２０４にはまた、入出力インタフェース２１０にも接続されている。
【０１９９】
入出力インタフェース２１０には、キーボード、マウスなどよりなる入力部２１１、CRT、LCDなどよりなるディスプレイ、スピーカ、並びにプリンタなどよりなる出力部２１２、ハードディスクなどより構成される記憶部２１３、モデム、ターミナルアダプタなどより構成され、管理サーバ１４４に接続されている通信部２１４が接続されている。
【０２００】
入出力インタフェース２１０にはまた、必要に応じてドライブ２２０が接続され、磁気ディスク２２１、光ディスク２２２、光磁気ディスク２２３、或いは半導体メモリ２２４などが適宜装着され、それらから読み出されたコンピュータプログラムが、必要に応じてRAM２０３等にインストールされる。
【０２０１】
次に、図２４のフローチャートを参照して、撮影装置１４１による撮影処理について説明する。
【０２０２】
最初に、ステップＳ８１において、CPU１１は、図１３のステップＳ４１の処理と同様に、調整処理を行い、撮影を行う。そして、図１３のステップＳ４２の処理と同様に、ステップＳ８２において、CPU１１は、携帯型通信装置用通信部１５１を制御して、アンテナ１５１Ａを介して、ID要求情報を送信する。ＩＤ要求情報を送信したCPU１１は、ステップＳ８３において、図１３のステップＳ４３の処理と同様に、ＩＤ情報および音声データの受信を開始する。CPU１１は、携帯型通信装置用通信部１５１を制御して、アンテナ１５１Ａを介して、携帯型通信装置１４２より送信されるID情報および音声データを受信する。
【０２０３】
ステップＳ８４において、CPU１１は、図１３のステップＳ４４の処理と同様に、携帯型通信装置用通信部１５１を制御して、ID情報および音声データを受信したか否かを判定する。受信したと判定した場合、CPU１１は、ステップＳ８５に進み、画像データに受信したID情報および音声データを付加し、管理サーバ用通信部１５２を制御して、アンテナ１５２Ａを介して管理サーバ１４４に送信する。ステップＳ８５の処理を終了したCPU１１は、撮影処理を終了する。
【０２０４】
また、ステップＳ８４において、ID情報および音声データを受信していないと判定した場合、CPU１１は、ステップＳ８６に進み、管理サーバ用通信部１５２を制御して、アンテナ１５２Ａを介して画像データを管理サーバ１４４に送信し、撮影処理を終了する。
【０２０５】
次に、図２５のフローチャートを参照して、管理サーバ１４４による管理処理について説明する。
【０２０６】
最初にステップＳ１０１において、管理サーバ１４４のCPU１７１は、画像データを受信したか否かを判定し、受信したと判定するまで待機する。CPU１７１は、撮影装置用通信部１８５を制御して、図２４のステップＳ８５、またはステップＳ８６の処理において撮影装置１４１より送信された画像データを、アンテナ１８５Ａを介して受信したか否かを判定する。
【０２０７】
受信したと判定した場合、CPU１７１は、ステップＳ１０２に進み、受信した画像データにID情報が付加されているか否かを判定する。受信した画像データが図２４のステップＳ８５の処理において撮影装置１４１より送信された画像データである場合、受信した画像データにはＩＤ情報および音声データが付加されており、受信した画像データが図２４のステップＳ８６の処理において撮影装置１４１より送信された画像データである場合、受信した画像データにはＩＤ情報および音声データが付加されていない。
【０２０８】
受信した画像データにID情報が付加されていると判定した場合、CPU１７１は、ステップＳ１０３に進み、受信したID情報、画像データおよび音声データを関連付けてデータベース１８３に記憶する。そして、ステップＳ１０４において、CPU１７１は、携帯型通信装置用通信部１８４を制御し、アンテナ１８４Ａを介して、受信したID情報、画像データおよび音声データを携帯通信装置１４２に送信する。送信が完了したCPU１７１は、ステップＳ１０６に進む。
【０２０９】
また、ステップＳ１０２において、ID情報が付加されていないと判定した場合、CPU１７１は、ステップＳ１０５に進み、受信した画像データをデータベース１８３に記憶する。画像データをデータベース１８３に記憶させたCPU１７１は、ステップＳ１０６に進む。
【０２１０】
ステップＳ１０６において、CPU１７１は、決済処理結果を取得したか否かを判定する。ステップＳ１０５において送信されたID情報、画像データおよび音声データが携帯型通信装置１４２に受信され、携帯型通信装置１４２においてユーザの指示に基づいて決済処理が行われた場合、携帯型通信装置１４２は、その決済処理の結果を管理サーバ１４４に送信する。CPU１７１は、携帯型通信装置用通信部１８４を制御し、その決済処理結果を受信したか否かを判定する。
【０２１１】
決済処理結果を受信したと判定した場合、CPU１７１は、ステップＳ１０７に進み、対応する画像データを出力用データとして保存する。携帯型通信装置１４２を携帯する被写体４が購入して決済処理が行われると、その画像データは、出力用画像データとしてまとめられ、保存され、被写体４にまとめて供給される。なお、このとき、画像データを出力用データとして保存せずに、画像データに対応する画像を写真紙等に印刷するなどして出力し、まとめて被写体４に提供するようにしてもよい。
【０２１２】
ステップＳ１０８において、CPU１７１は、受信した決済処理結果を決済サーバに供給し、決済処理を実行させる。CPU１７１は、有線用通信部１８６を制御して、決済サーバ１４８に決済処理結果を供給する。決済処理結果を取得した決済サーバ１４８のCPU２０１は、決済処理を行って決済情報を更新し、決済完了情報を作成する。そして、CPU２０１は、作成された決済完了情報を管理サーバ１４４に供給する
【０２１３】
CPU１７１は、ステップＳ１０９において、有線用通信部１８６を制御して、決済サーバ１４８より供給された決済完了情報を受信し、その受信した決済完了情報を携帯型通信装置用通信部１８４を制御して、携帯型通信装置１４２に送信する。決済完了情報を送信したCPU１７１は、ステップＳ１０１に戻り、それ以降の処理を繰り返す。
【０２１４】
また、ステップＳ１０６において、決済処理結果を取得していないと判定した場合、CPU１７１は、ステップＳ１０１に戻り、それ以降の処理を繰り返す。
【０２１５】
次に、図２６のフローチャートを参照して、携帯型通信装置１４２による通信処理について説明する。
【０２１６】
最初に、ステップＳ１２１において、携帯型通信装置１４２のCPU５１は、撮影装置用通信部１６１を制御して、図２４のステップＳ８２の処理において撮影装置１４１より送信されたID要求情報を受信したか否かを判定し、受信したと判定するまで待機する。
【０２１７】
ID要求情報を受信したと判定した場合、CPU５１は、ステップＳ１２２に進み、図１４のステップＳ６２の処理と同様に、録音を行い、音声データを作成する。録音を行ったCPU５１は、ステップＳ１２３に進み、ID情報に作成した音声データを付加して、撮影装置用通信部１６１を制御して、アンテナ１６１Ａを介して撮影装置１４１に送信する。そして、ステップＳ１２４において、CPU５１は、音声データおよびID情報を付加された画像データを受信したか否かを判定する。CPU５１は、管理サーバ用通信部１６２を制御して、図２５のステップＳ１０４の処理において管理サーバ１４４より送信された音声データおよびID情報を付加された画像データを、アンテナ１６２Ａを介して受信したか否かを判定する。
【０２１８】
受信したと判定した場合、CPU５１は、ステップＳ１２５に進み、図１４のステップＳ６５の処理と同様に、受信したID情報が登録されているID情報と一致するか否かを判定する。一致したと判定した場合、CPU５１は、ステップＳ１２６に進み、受信した画像データに対応する画像をモニタ１１２に表示し、受信した音声データに対応する音声をスピーカ１１３より出力する。携帯型通信装置１４２のユーザである被写体４は、モニタ１１２およびスピーカ１１３より出力される画像および音声を購入するか否かを決定し、操作部１１１を操作して指示する。その指示に基づいて、CPU５１は、ステップＳ１２７において、画像データおよび音声データを購入するか否かを判定する。
【０２１９】
被写体４が画像データおよび音声データの購入を指示したと判定した場合、CPU５１は、ステップＳ１２８に進み、決済処理を行う。CPU５１は、料金等を算出し、ＩＣカードリーダ／ライタ１６３を制御して、ＩＣカード１６４の残高情報を更新し、決済に関する情報を作成する。そして、CPU５１は、決済に関する情報を含む決済処理結果を作成する。CPU５１は、ステップＳ１２９において、管理サーバ用通信部１６２を制御して、作成した決済処理結果を管理サーバ１４４に送信する。
【０２２０】
ステップＳ１３０において、CPU５１は、管理サーバ用通信部１６２を制御して、決済サーバ１４８が作成し、図２５のステップＳ１０９において、管理サーバ１４４より送信された決済完了情報を受信したか否かを判定する。受信したと判定した場合、CPU５１は、ステップＳ１３１に進み、受信したID情報が登録されているID情報と一致するか否かを判定する。決済完了情報にはID情報が含まれており、このID情報によりどの携帯型通信装置に対する決済完了情報かが識別されるようになっている。すなわち、CPU５１は、決済完了情報に含まれるID情報をID情報記憶部６２に記憶されているID情報を照合することで、受信した決済完了情報が携帯型通信装置１４２に対する決済完了情報であるか否かを判定する。
【０２２１】
一致したと判定した場合、CPU５１は、ステップＳ１３２に進み、決済履歴をＩＣカード１６４に記録する。CPU５１は、受信した決済完了情報に含まれる決済に関する情報である決済履歴をICカードリーダ／ライタ１６３を制御して、ICカード１６４に記録する。
【０２２２】
ステップＳ１３２の処理を完了したCPU５１は、ステップＳ１２１に戻り、それ以降の処理を繰り返す。
【０２２３】
また、ステップＳ１２４において、音声データおよびID情報を付加された画像データを受信していないと判定した場合、CPU５１は、ステップＳ１２１に戻り、それ以降の処理を繰り返す。
【０２２４】
そして、ステップＳ１２５において、受信したID情報が登録されているID情報と一致しないと判定した場合、CPU５１は、ステップＳ１３３に進み、受信した画像データおよび音声データを削除する。画像データおよび音声データを削除したCPU５１は、ステップＳ１２１に戻り、それ以降の処理を繰り返す。
【０２２５】
また、ステップＳ１２７において、画像データおよび音声データを購入しないと判定した場合、CPU５１は、ステップＳ１３３に進み、それ以降の処理を繰り返す。
【０２２６】
さらに、ステップＳ１３０において、決済完了情報を受信していないと判定した場合、CPU５１は、ステップＳ１２１に戻り、それ以降の処理を繰り返す。同様に、ステップＳ１３１において、受信したID情報が登録されているID情報と一致しないと判定した場合も、ステップＳ１２１に戻り、それ以降の処理を繰り返す。
【０２２７】
以上のように構成することにより、複数の撮影装置により撮影された画像データおよび対応する音声データをまとめて管理することができる。
【０２２８】
以上に説明したような情報処理システムを例えば遊園地やテーマパーク等に用いることにより、お客である入場者がカメラを持参したり購入したりしなくても、画像、映像、または音声を記録し、入場者に提供するサービスなどを行うことができる。
【０２２９】
図２７は、本発明を適用した情報処理システムの運用例を示す図である。
【０２３０】
図２７において、遊園地２３０の入場門２３１には、受付端末装置２３２が設置されている。受付端末装置２３２は、中央管理センタ２４０に設置されている管理サーバ２４１に接続されており、入場門２３１において、スタッフが入場者に携帯型通信装置を渡す際に、入場者または携帯型通信装置に関する情報をスタッフにより入力され、それらの情報を管理サーバ２４１に供給する。また、管理サーバ２４１より、入場者に提供される画像データや音声データが供給される。
【０２３１】
中央管理センタ２４０の管理サーバ２４１は、決済サーバ２４２および受付端末装置２３２に接続されている。管理サーバ２４１は、さらに、アンテナ２５１乃至２５７を有しており、撮影装置や携帯型通信装置と無線通信を行い、画像データや音声データ等を管理する。なお、アンテナ２５２乃至２５７は、図２７においては省略されているが、全て管理サーバ２４１と有線で接続されている。
【０２３２】
決済サーバ２４２は、管理サーバ２４１に接続されており、管理サーバより供給される決済情報に基づいて決済処理を行う。
【０２３３】
撮影装置２６１は、入場門近くのアンテナ２５２に設置されており、自動的にまたは被写体の指示に基づいて撮影を行う。同様に、カメラ２６２乃至２６４は、それぞれアンテナ２５３乃至２５５に設置されており、自動的にまたは被写体の指示に基づいて撮影を行う。
【０２３４】
撮影装置２６５は、撮影スタッフ２７１に携帯されており、撮影スタッフ２７１の操作により撮影を行う。また、撮影装置２６６も同様に、撮影スタッフ２７２に携帯されており、撮影スタッフ２７２の操作により撮影を行う。なお、図２７においては省略しているが、撮影スタッフ２７１は、撮影側通信装置を携帯している。この撮影側通信装置は、撮影装置２６５、管理サーバ２４１、または携帯型通信装置等と無線通信を行う。また、同様に撮影スタッフ２７２も撮影側通信装置を携帯している。
【０２３５】
また撮影台に固定された撮影装置２６７は、着ぐるみを着ているスタッフ２７３の操作により撮影を行う。
【０２３６】
入場者２８１は、遊園地２３０に入場門付近を歩いている。また、入場者２８２は、着ぐるみを着たスタッフ２７３と記念撮影を行っている。入場者２８３は、アトラクション２４５の乗り物に搭乗している。入場者２８４は、ポスト２４６に手紙を投函しようとしている。なお、図示は省略しているが、入場者２８１乃至２８４は、それぞれ携帯型通信装置を携帯している。
【０２３７】
図２８は、入場者が携帯する携帯型通信装置の例を示す外見図である。
【０２３８】
図２８Ａに示すように、携帯型通信装置３００には紐３０１が輪状に設けられており、これにより、入場者は携帯型通信装置３００を首から下げることができる。また、図２８Ａに示すように、携帯型通信装置３００の表側には、マイク１０１、スピーカ１１３が接続されており、音声を録音したり、出力したりすることができる。また、携帯型通信装置３００の左横には、入場者が撮影スタッフに対して撮影を要求する撮影要求ボタン３０２が設置されている。
【０２３９】
また、図２８Ｂに示すように、携帯型通信装置３００の裏側には、乾電池や充電池などの電池を入れる電池ケースの蓋である電池ケース蓋３０３が設けられている。
【０２４０】
以上に説明した携帯型通信装置３００は、一例であり、上述したような形に限らず、どのような形および大きさでもよく、例えば、帽子やバッジ等に搭載されるようにしていてもよい。
【０２４１】
図２９は携帯型通信装置３００の内部の構成例を示すブロック図である。
【０２４２】
図２９において、バイブレータ３１１は、振動することにより、携帯型通信装置３００を振動させ、撮影スタッフからの合図を、携帯型通信装置３００を携帯する入場者に通知したり、固定カメラの撮影タイミングを通知したりする。
【０２４３】
位置情報記憶部３１２は、ハードディスクやメモリなどにより構成され、CPU５１が通信部６１を制御して通信を行い、その通信の結果得られた情報に基づいて、算出した位置情報を記憶する。
【０２４４】
図３０は、撮影スタッフが携帯する撮影装置および撮影側通信装置の例を示す外見図である。
【０２４５】
図３０Ａは撮影スタッフ２７１を正面からみた図である。図３０Ａにおいて、撮影スタッフ２７１は、撮影装置２６５を携帯している。また撮影スタッフ２７１は、ヘッドセット３２０を装着している。ヘッドセット３２０は、撮影スタッフ２７１の音声を取得するためのマイク３２１、画像情報や文字情報を表示して撮影スタッフ２７１に各種の情報を提供するヘッドマウントディスプレイ３２２が設けられた眼鏡３２３、および音声情報等を出力するヘッドホン３２４により構成されている。このヘッドセットの各部は、図３０Ｂに示すようにスタッフ２７１が背中に担いでいる撮影側通信装置３３０に接続されている。
【０２４６】
図３０Ｂは、撮影スタッフ２７１を後ろ側より見た図である。図３０Ｂにおいて、撮影スタッフ２７１が背中に担いでいる撮影側通信装置３３０は、アンテナ３３０Ａを有しており、このアンテナ３３０Ａを介して無線通信を行う。また、上述したようにヘッドセット３２０は、撮影側通信装置３３０に接続されており、撮影側通信装置３３０に制御されている。
【０２４７】
図３１は撮影スタッフが携帯する撮影装置および撮影側通信装置の例を示す外見図である。
【０２４８】
図３１Ａは、撮影スタッフ２７１を正面から見て左側横方向より見た図である。図３１Ａにおいて、ヘッドセット３２０を構成するマイク３２１、ヘッドマウントディスプレイ３２２、眼鏡３２３、およびヘッドホン３２４は、互いに接続されており、撮影側通信装置３３０に接続されている。
【０２４９】
図３１Ｂは、撮影スタッフ２７１を正面から見て右側横方向より見た図である。図３１Ｂにおいて、撮影装置２６５は、撮影側通信装置３３０と無線通信を行い、撮影画像に対応する画像データを供給する。
【０２５０】
以上に説明した撮影装置２６５および撮影側通信装置３３０は、一例であり、上述したような形に限らず、どのような形および大きさでもよく、例えば、撮影側通信装置３３０を腕に装着するような形にしてもよい。なお、撮影装置２６５および撮影側通信装置３３０を一体化してもよい。
【０２５１】
図３２は、撮影装置２６５の内部の構成例を示す図である。
【０２５２】
図３２において、撮影スタッフ２７１が操作部２１を操作して、撮影を指示すると、CPU１１は、カメラ１５を制御して撮影を行い、撮影された画像に対応する画像データを、通信部３を制御してアンテナ３Ａを介して撮影側通信装置３３０に送信する。
【０２５３】
図３３は、撮影側通信装置３３０の内部の構成例を示す図である。
【０２５４】
CPU３４１は、ROM３４２に記憶されているプログラムからRAM３４３にロードしたプログラムに従って撮影側通信装置の全体の動作を、バス３５０を介して制御する。RAM３４３にはまた、CPU３４１が各種の処理を実行する上において必要なデータなどが適宜記憶される。
【０２５５】
操作部３５１は、ボタンやレバー等により構成されている。ユーザは操作部３５１を操作して、マイク３２１およびヘッドホン３２４の音量調整、またはヘッドマウントディスプレイ３２４に表示される情報の切り替え等の指示を入力し、撮影側通信装置３３０を操作する。なお、操作部３５１は、ボタンおよびレバー以外にも、例えば、キーボードまたはタッチパッド等のように、入力装置であれば何でもよい。
【０２５６】
記憶部３５２は、撮影装置２６５より供給された撮影画像に対応する画像データを、取得したＩＤ情報に関連付けて記憶する。通信部３５３は、CPU３４１に制御されて、アンテナ３３０Ａを介して、撮影装置２６５、管理サーバ２４１、携帯型通信装置等と無線通信を行う。
【０２５７】
撮影者ID情報記憶部３５４は、ハードディスクまたはメモリ等により構成され、撮影スタッフ２７１のIDである撮影者ID情報を記憶しており、この撮影者ID情報を用いて、現在の位置を算出することができる。また、位置情報記憶部３５５は、ハードディスクまたはメモリ等により構成され、算出された現在の位置情報を記憶する。
【０２５８】
また、バス３５０には、必要に応じてドライブ３６０が接続され、磁気ディスク３６１、光ディスク３６２、光磁気ディスク３６３、或いは半導体メモリ３６４などが適宜装着され、それらから読み出されたコンピュータプログラムが、必要に応じて記憶部３５２またはRAM３４３にインストールされる。
【０２５９】
以上においては、撮影スタッフ２７１の場合について説明したが、その他の撮影スタッフも、同様の撮影装置および撮影側通信装置を携帯している。例えば、図２７の撮影スタッフ２７２は、上述した撮影装置２６５と同様の構成の撮影装置２６６、および撮影側通信装置３３０を携帯している。
【０２６０】
また、撮影装置２６２乃至２６４は、上述した撮影装置および撮影側通信装置の両方の機能を有しており、それぞれアンテナ２５３乃至２５５に接続されており、管理サーバ２４１と有線通信を行い、携帯型通信装置と無線通信を行うことができる。
【０２６１】
図３４は、着ぐるみを着ている撮影スタッフ２７３の詳細を示す外見図である。
【０２６２】
図３４において、着ぐるみを着た撮影スタッフ２７３は、その他の撮影スタッフと同様に、図３０乃至図３３において説明した撮影装置および撮影側通信装置を携帯している。なお、着ぐるみには穴３７１が所定の場所に開けられており、そこに撮影装置のカメラ部が来るように設置されている。そして、着ぐるみを着た撮影スタッフ２７３は、その撮影装置を用いて、撮影を行うことができる。
【０２６３】
また、図２７に示すように、入場者２８２に記念撮影を要求された場合は、図３４の撮影装置２６７を上述したように遠隔操作して撮影を行う。なお、撮影装置２６７は、図３０乃至図３３に示した撮影装置および撮影側通信装置の両方の機能を有しており、アンテナ２６７Ａを介して無線通信を行う。
【０２６４】
図３５は、図２７の管理サーバ２４１の内部の構成例を示す図である。
【０２６５】
管理サーバ２４１の入出力インタフェース１８０には、モデム、ターミナルアダプタなどより構成され、受付端末装置２３２、決済サーバ２４２、撮影側通信装置、携帯型通信装置、および撮影装置と通信を行う通信部３８１が接続されている。
【０２６６】
なお、図示は省略するが、決済サーバ２４２および受付端末装置２３２も、図３５に示した管理サーバ２４１と基本的に同様の構成を有するコンピュータにより構成されている。
【０２６７】
次に、図２７に示す情報処理システムの運用例の詳細を説明する。図２７において、遊園地２３０の入場門２３１において、携帯型通信装置が所定の金額で販売または貸し出しされており、この情報処理システムの利用を希望する入場者は、入場門２３１において、携帯型通信装置を購入または借用する。その際、入場者の名前や連絡先などの個人情報が受付端末装置２３２において入力され、管理サーバ２４１にID情報と関連付けて登録される。
【０２６８】
なお、携帯型通信装置は、例えば人形や帽子などの遊園地２３０の特製グッズ等、遊園地２３０の雰囲気を損なわず、目立つように装着可能なものに搭載すれば、撮影スタッフは、サービスの対象者（携帯型通信装置を携帯している入場者）を容易に識別することができ、サービスの対象者を中心に、効率よく撮影を行うことができる。
【０２６９】
携帯型通信装置を入手した入場者は、遊園地２３０内を様々に移動する。例えば、入場者２８１は、入場門２３１より入場すると、利用したいアトラクション等の方に移動を開始する。入場者２８１の携帯する携帯型通信装置は、管理サーバ２４１と無線通信を行い、入場者２８１の遊園地２３０内における現在の位置を算出する。
【０２７０】
図３６のフローチャートを参照して、携帯型通信装置３００による位置確認処理について説明する。
【０２７１】
最初に、ステップＳ１５１において、携帯型通信装置３００のCPU５１は、位置情報要求信号を送信する。CPU５１は、位置情報を算出するために、最初に携帯型通信装置３００の周囲に設置されたアンテナの位置に関する情報であるアンテナ位置情報を取得するために、通信部６１を制御して、アンテナ５Ａを介して、管理サーバ２４１に位置情報要求情報を送信する。なお、位置情報要求情報には携帯型通信装置３００のID情報が含まれており、管理サーバ２４１が、どの携帯型通信装置よりアンテナ位置情報を要求されたかを識別できるようになっている。
【０２７２】
携帯型通信装置３００の通信可能範囲内に設置されているアンテナが上述した位置情報要求情報を受信すると、その位置情報要求情報を管理サーバ２４１の通信部３８１に供給する。管理サーバ２４１の通信部３８１においては、どのアンテナより位置情報要求情報が供給されたかを識別でき、位置情報要求情報が供給されると、位置情報要求情報を供給したアンテナの位置情報を、送信先である携帯型通信装置３００のID情報を付加した後、そのアンテナを介して携帯型通信装置３００に送信する。
【０２７３】
携帯型通信装置３００のCPU５１は、ステップＳ１５２において、通信部６１を制御して、管理サーバ２４１により送信されたアンテナ位置情報を受信したか否かを判定する。受信したと判定した場合、CPU５１は、ステップＳ１５３に進み、受信したアンテナ位置情報に付加されたID情報が登録されているID情報と一致するか否かを判定する。CPU５１は、アンテナ位置情報に付加されたID情報を抽出し、ID情報記憶部６２に記憶されているID情報と照合することで、携帯型通信装置３００が要求したアンテナ位置情報であるか否かを判定する。
【０２７４】
受信したアンテナ位置情報に付加されたID情報が登録されているID情報と一致しないと判定した場合、すなわち、取得したアンテナ位置情報が、要求したアンテナ位置情報ではないと判定した場合、CPU５１は、ステップＳ１５２に戻り、それ以降の処理を繰り返す。
【０２７５】
また、受信したアンテナ位置情報に付加されたID情報が登録されているID情報と一致すると判定した場合、CPU５１は、ステップＳ１５４に進み、取得したアンテナ位置情報、および、位置情報要求情報を送信してからアンテナ位置情報を取得するまでの応答時間に基づいて、現在の位置を算出する。
【０２７６】
図３７は、携帯型通信装置３００が位置を算出する様子の例を示す模式図である。
【０２７７】
図３７において、入場者２８１の携帯する携帯型通信装置３００が、位置情報要求情報を送信すると、携帯型通信装置３００の通信可能範囲３９１の内側に設置されているアンテナ２５１、２５２、および２５４は、その要求情報を取得して管理サーバ２４１に供給する。携帯型通信装置３００の通信可能範囲３９１の外側に設置されているアンテナ２５３、２５５、および２５６は、携帯型通信装置３００が送信した位置情報要求情報を取得することはできない。
【０２７８】
管理サーバ２４１は、アンテナ２５１により位置情報要求情報を供給されると、供給された位置情報要求情報に含まれるID情報を、アンテナ２５１が設置されている位置に関する情報であるアンテナ位置情報に付加し、そのアンテナ位置情報を、アンテナ２５１を介して携帯型通信装置３００に送信する。また、アンテナ２５２および２５４により供給された位置情報要求情報に対しても同様に、それぞれ、アンテナ２５２または２５４の位置に関する情報であるアンテナ位置情報を送信する。
【０２７９】
アンテナ２５１を介して送信されたアンテナ位置情報は、携帯型通信装置３００に受信される。同様に、アンテナ２５２または２５４より送信されたアンテナ位置情報も、携帯型通信装置３００に受信される。
【０２８０】
携帯型通信装置３００のCPU５１は、これらの位置情報を取得するまでの応答時間を測定し、アンテナからの距離を算出する。そして、算出した距離情報とアンテナの位置情報に基づいて、携帯型通信装置３００の位置が算出される。
【０２８１】
なお、応答時間を正確に測定するために、各アンテナと管理サーバ２４１との間で発生する遅延時間の差を調整する情報をアンテナ位置情報に含めるようにしても良い。また、遅延時間を発生させないように、各アンテナの近傍に、管理サーバ２４１の上述したような機能を有し、位置情報要求情報を取得するとアンテナ位置情報を供給する装置を設けてもよい。
【０２８２】
以上のようにして、携帯型通信装置３００のCPU５１は、現在の位置を算出する。
【０２８３】
図３６に戻り、現在の位置を算出したCPU５１は、ステップＳ１５５に進み、位置情報記憶部３１２に記憶されている位置情報を更新する。位置情報記憶部３１２には、携帯型通信装置３００の位置情報が記憶されており、CPU５１は、この位置情報を書き換えて更新する。位置情報を更新したCPU５１は、位置確認処理を終了する。
【０２８４】
また、ステップＳ１５２において、アンテナ位置情報を受信していないと判定した場合、CPU５１は、位置確認処理を終了する。
【０２８５】
以上のような位置確認処理を、携帯型通信装置３００は、所定の時間ごとに、定期的に行う。これにより、携帯型通信装置３００は、現在の位置に関する情報を取得することができる。
【０２８６】
図２７に示す遊園地２３０内において、撮影スタッフは、遊園地２３０内を巡回しながら、入場者などを撮影する。例えば、撮影装置２６５を携帯する撮影スタッフ２７１は、入場者２８１を撮影したり、他の場所に移動したりする。撮影スタッフが携帯する撮影側通信装置は、携帯型通信装置と同様に、管理サーバ２４１と無線通信を行い、撮影スタッフの遊園地２３０内における現在の位置を算出する。
【０２８７】
図３８のフローチャートを参照して、撮影側通信装置による位置確認処理について説明する。
【０２８８】
最初に、ステップＳ１７１において、撮影側通信装置３３０のCPU３４１は、位置情報要求信号を送信する。CPU３４１は、位置情報を算出するために、最初に撮影側通信装置３３０の周囲に設置されたアンテナの位置に関する情報であるアンテナ位置情報を取得するために、通信部３５３を制御して、アンテナ３３０Ａを介して、管理サーバ２４１に位置情報要求情報を送信する。なお、位置情報要求情報には、撮影側通信装置３３０のユーザのID情報である撮影者ID情報が含まれており、管理サーバ２４１が、どの撮影側通信装置によりアンテナ位置情報が要求されたかを識別できるようになっている。
【０２８９】
撮影側通信装置３３０の通信可能範囲内に設置されているアンテナが上述した位置情報要求情報を受信すると、その位置情報要求情報を管理サーバ２４１の通信部３８１に供給する。管理サーバ２４１の通信部３８１においては、どのアンテナより位置情報要求情報が供給されたかを識別でき、位置情報要求情報が供給されると、位置情報要求情報を供給したアンテナの位置情報を、送信先である撮影側通信装置３３０に対応する撮影者ID情報を付加した後、そのアンテナを介して撮影側通信装置３３０に送信する。
【０２９０】
撮影側通信装置３３０のCPU３４１は、ステップＳ１７２において、通信部３５３を制御して、管理サーバ２４１により送信されたアンテナ位置情報を受信したか否かを判定する。受信したと判定した場合、CPU３４１は、ステップＳ１７３に進み、受信したアンテナ位置情報に付加された撮影者ID情報が、登録されている撮影者ID情報と一致するか否かを判定する。CPU３４１は、アンテナ位置情報に付加された撮影者ID情報を抽出し、撮影者ID情報記憶部３５４に記憶されている撮影者ID情報と照合することで、撮影側通信装置３３０が要求したアンテナ位置情報であるか否かを判定する。
【０２９１】
受信したアンテナ位置情報に付加された撮影者ID情報が登録されている撮影者ID情報と一致しないと判定した場合、すなわち、取得したアンテナ位置情報が、要求したアンテナ位置情報ではないと判定した場合、CPU３４１は、ステップＳ１７２に戻り、それ以降の処理を繰り返す。
【０２９２】
また、受信したアンテナ位置情報に付加された撮影者ID情報が登録されている撮影者ID情報と一致すると判定した場合、CPU３４１は、ステップＳ１７４に進み、携帯型通信装置の場合と同様に、取得したアンテナ位置情報、および、位置情報要求情報を送信してからアンテナ位置情報を取得するまでの応答時間に基づいて、現在の位置を算出する。
【０２９３】
そして、現在の位置を算出したCPU３４１は、ステップＳ１７５に進み、位置情報記憶部３５５に記憶されている位置情報を更新する。位置情報記憶部３５５には、撮影側通信装置３３０の位置情報が記憶されており、CPU３４１は、この位置情報を書き換えて更新する。位置情報を更新したCPU３４１は、位置確認処理を終了する。
【０２９４】
また、ステップＳ１７２において、アンテナ位置情報を受信していないと判定した場合、CPU３４１は、位置確認処理を終了する。
【０２９５】
以上のような位置確認処理を、撮影側通信装置３３０は、所定の時間ごとに、定期的に行う。これにより、撮影側通信装置３３０は、現在の位置に関する情報を取得することができる。
【０２９６】
次に、位置情報要求情報を供給される管理サーバ２４１の位置確認処理について、図３９のフローチャートを参照して説明する。
【０２９７】
最初に、ステップＳ１９１において、管理サーバ２４１のCPU１７１は、通信部３８１を制御して、遊園地２３０内の各所に設置されたアンテナを介して、携帯型通信装置より送信された位置情報要求情報を取得したか否かを判定する。取得したと判定すると、CPU１７１は、ステップＳ１９２に進み、位置情報要求情報に含まれるID情報に基づいて、アンテナ位置情報を作成する。CPU１７１は、位置情報要求情報に含まれるID情報を抽出し、位置情報要求情報を供給したアンテナの位置情報に付加して、アンテナ位置情報を作成する。
【０２９８】
アンテナ位置情報を作成したCPU１７１は、ステップＳ１９３に進み、位置情報要求情報を取得したアンテナより、作成したアンテナ位置情報を送信する。CPU１７１は、通信部３８１を制御して、通信部３８１に位置情報要求情報を供給したアンテナを介して、作成したアンテナ位置情報を送信する。送信したアンテナ位置情報は、携帯型通信装置により受信される。
【０２９９】
アンテナ位置情報を送信したCPU１７１は、ステップＳ１９４に進む。また、ステップＳ１９１において、携帯型通信装置より送信された位置情報要求情報を取得していないと判定した場合、CPU１７１は、ステップＳ１９４に進む。
【０３００】
ステップＳ１９４において、CPU１７１は、撮影側通信装置により送信された位置情報要求情報を取得したか否かを判定する。取得したと判定すると、CPU１７１は、ステップＳ１９５に進み、位置情報要求情報に含まれる撮影者ID情報に基づいて、アンテナ位置情報を作成する。CPU１７１は、位置情報要求情報に含まれる撮影者ID情報を抽出し、位置情報要求情報を供給したアンテナの位置情報に付加して、アンテナ位置情報を作成する。
【０３０１】
アンテナ位置情報を作成したCPU１７１は、ステップＳ１９６に進み、位置情報要求情報を取得したアンテナより、作成したアンテナ位置情報を送信する。CPU１７１は、通信部３８１を制御して、通信部３８１に位置情報要求情報を供給したアンテナを介して、作成したアンテナ位置情報を送信する。送信したアンテナ位置情報は、撮影側通信装置により受信される。
【０３０２】
アンテナ位置情報を送信したCPU１７１は、ステップＳ１９６に戻り、それ以降の処理を繰り返す。また、ステップＳ１９４において、撮影側通信装置より送信された位置情報要求情報を取得していないと判定した場合、CPU１７１は、ステップＳ１９１に戻り、それ以降の処理を繰り返す。
【０３０３】
以上のようにして、携帯型通信装置および撮影側通信装置の現在の位置が検出される。撮影された現在の位置に関する情報は、撮影の際に利用される。
【０３０４】
図２７において、例えば、撮影スタッフ２７１は、携帯型通信装置３００を携帯している入場者２８１を発見すると、撮影装置２６５を用いて、入場者２８１を撮影する。撮影スタッフ２７１により操作部２１を操作され、撮影を指示された撮影装置２６５は、撮影処理を開始する。
【０３０５】
図４０のフローチャートを参照して、撮影装置２６５による撮影処理について説明する。
【０３０６】
最初にステップＳ２１１において、撮影装置２６５のCPU１１は、撮影スタッフ２７１が操作部２１を操作することにより入力した指示に基づいて、カメラ制御部１６を制御して調整処理を行い、カメラ１５を制御して撮影を行う。
【０３０７】
そして、ステップＳ２１２において、CPU１１は、通信部３を制御して、撮影画像に対応する画像データを、アンテナ３Ａを介して撮影側通信装置に供給する。画像データを供給したCPU１１は、撮影処理を終了する。
【０３０８】
また、撮影側通信装置３３０においては、通信処理が行われる。図４１のフローチャートを参照して、撮影側通信装置３３０による通信処理について説明する。
【０３０９】
最初に、ステップＳ２３１において、撮影側通信装置３３０のCPU３４１は、携帯型通信装置３００より位置情報を取得したか否かを判定する。携帯型通信装置３００のCPU５１は、通信部６１を制御して、図３６のフローチャートのステップＳ１５４において算出した現在の位置情報にID情報を付加して、所定の間隔で定期的に送信する。撮影側通信装置３３０のCPU３４１は、通信部３５３を制御して、その送信された位置情報を受信したか否かを判定する。
【０３１０】
位置情報を取得したと判定すると、CPU３４１は、ステップＳ２３２に進み、取得した位置情報に基づいて、被写体の相対位置を算出する。CPU３４１は、取得した位置情報、および位置情報記憶部３５５に記憶されている位置情報に基づいて、撮影側通信装置３３０からの携帯型通信装置３００の相対位置を算出する。
【０３１１】
相対位置を算出したCPU３４１は、ステップＳ２３３において、算出した相対位置に基づいて、撮影範囲内にいる被写体を識別する。撮影可能な範囲である撮影範囲の情報は、記憶部３５２等に予め記憶されている。なお、この撮影範囲は、撮影スタッフが撮影を行う際に、撮影された可能性のある入場者を識別するためのものであり、実際の撮影範囲と異なっていてもよく、例えば、撮影側通信装置３３０からの距離の範囲であってもよい。
【０３１２】
さらに、携帯側通信装置３００および撮影側通信装置３３０が算出する位置情報は、正確なものでなくてもよく、遊園地２３０内が複数のエリアに分割され、これらのエリアのうち、どのエリアに存在するかという程度の情報であってもよい。この場合、撮影側通信装置３３０は、撮影側通信装置３３０が位置するエリアを撮影範囲とし、同じエリアに存在する携帯型通真装置３００は全て、撮影範囲内に存在すると認識するようにしてもよい。このように位置情報を簡略化することにより、処理作業時間を減らすことができる。
【０３１３】
撮影範囲内にいる被写体を識別したCPU３４１は、ステップＳ２３４に進む。また、ステップＳ２３１において、携帯型通信装置より位置情報を取得していないと判定した場合、CPU３４１は、ステップＳ２３４に進む。
【０３１４】
ステップＳ２３４において、CPU３４１は、通信部３５３を制御して、撮影装置２６５が図４０のステップＳ２１２において送信した画像データを、アンテナ３３０Ａを介して取得したか否かを判定する。取得したと判定した場合、CPU３４１は、ステップＳ２３５に進み、撮影範囲内に携帯型通信装置を有する被写体が存在するか否かを判定する。CPU３４１は、ステップＳ２３３において、撮影範囲内に存在する被写体を識別しており、その情報に基づいて、撮影範囲内に被写体が存在するか否かを判定する。
【０３１５】
存在すると判定した場合、CPU３４１は、ステップＳ２３６に進み、撮影装置２６５より取得した画像データに撮影範囲内に存在する被写体のID情報を付加し、ステップＳ２３７に進む。
【０３１６】
また、撮影範囲内に被写体が存在しないと判定した場合、CPU３４１は、ステップＳ２３７に進む。ステップＳ２３７において、CPU３４１は、通信部３５３を制御して、画像データを管理サーバ２４１に供給する。ステップＳ２３７の処理が完了すると、CPU３４１は、ステップＳ２３１に戻り、それ以降の処理を繰り返す。
【０３１７】
また、ステップＳ２３４において、撮影装置２６５より画像データを取得していないと判定された場合、CPU３４１は、ステップＳ２３１に戻り、それ以降の処理を繰り返す。
【０３１８】
以上のように、撮影側通信装置３３０が通信処理を行うことで、撮影された画像データは、撮影範囲内に存在する入場者が携帯する携帯型通信装置のID情報を付加されて、管理サーバ２４１に供給される。
【０３１９】
図２７において、着ぐるみを着ている撮影スタッフ２７３は、入場者２８２に要求され撮影装置２６７により、記念撮影を行っている。この場合も上述した場合と同様に、入場者２８２が携帯している携帯型通信装置３００が撮影装置２６７に位置情報を供給し、撮影装置２６７は、携帯型通信装置３００の相対位置情報を算出し、撮影範囲内に存在する携帯型通信装置３００を識別している。そして、撮影スタッフ２７３がリモート操作により、撮影装置２６７を用いて、撮影を行うと、撮影装置２６７は、撮影画像に対応する画像データに入場者２８２が携帯する携帯型通信装置３００のID情報を付加し、管理サーバ２４１に供給する。
【０３２０】
また、入場者が撮影スタッフに撮影を要求する方法として、入場者が、携帯型通信装置３００の撮影要求ボタン３０２を操作してもよい。
【０３２１】
例えば、図２７において、アトラクション２４５を利用中の入場者２８３が撮影をしてもらいたい場合、入場者２８３は携帯型通信装置３００の撮影要求ボタン３０２を操作する。撮影要求ボタン３０２を操作された携帯型通信装置３００は、撮影を要求する信号を送信する。そして、近くにいた撮影スタッフ２７２の撮影側通信装置３３０がその要求信号を受信すると、要求信号に含まれるID情報より入場者２８３の相対位置を算出し、ヘッドマウントディスプレイ３２２に情報を表示する。その情報に基づいて、撮影スタッフ２７２は、入場者２８３を探し、撮影を行う。このとき、撮影スタッフ２７２と、入場者２８３の間で、音声通信を行えるようにしてもよい。その場合、撮影スタッフ２７２は、ヘッドセット３２０のマイク３２１およびヘッドホン３２４を用いて音声通信を行い、入場者２８３は、携帯型通信装置３００のマイク１０１およびスピーカ１１３を用いて音声通信を行う。音声通信によりタイミングを計りながら撮影を行えば、撮影スタッフ２７２は、より正確に入場者２８３を撮影することができる。
【０３２２】
また、図２７において、撮影装置２６２および２６３等の固定カメラは、所定の間隔で自動的に撮影を行うようにしてもよい。撮影画像に対応する画像データは、撮影範囲内に偶然通りかかった入場者が携帯する携帯側通信装置のID情報が付加され、管理サーバ２４１に供給される。
【０３２３】
また、撮影装置が、撮影範囲内に携帯型通信装置が存在すると自動的に撮影を行うようにしてもよい。例えば、図２７の撮影装置２６４は、ポスト２４６の近傍を撮影するように設置されており、撮影範囲も意図的にポスト２４６近傍に限定されている。そして、入場者２８４がポスト２４６に手紙を投函しようとしてポスト２４６に近づくと、撮影装置２６４は撮影を行う。撮影画像に対応する画像データは、ポストに手紙を投函している入場者２８４が携帯する携帯側通信装置のID情報が付加され、管理サーバ２４１に供給される。なお、撮影のタイミングを正確に取るために、ポスト２４６近傍にセンサを別に設けておき、そのセンサが入場者２８４を検出すると撮影装置２６４が撮影を行うようにしてもよい。
【０３２４】
このように構成することにより、例えば、入場者２８４がポスト２４６から遊園地２３０のイメージキャラクターに手紙を出すと、撮影装置２６４によりその姿が撮影され、後日、その撮影された画像が印刷された、イメージキャラクターからの手紙が入場者２８４に返信されるサービスを実現することができ、入場者の満足度を向上させることができる。
【０３２５】
以上のように、様々な場所で撮影された画像に対応する画像データは、管理サーバ２４１に供給される。画像データを供給された管理サーバ２４１は、管理処理を実行する。図４２のフローチャートを参照して、管理サーバ２４１による管理処理について説明する。
【０３２６】
最初に、ステップＳ２５１において、CPU１７１は、取得した画像データにID情報が付加されているか否かを判定する。付加されていると判定した場合、CPU１７１は、ステップＳ２５２に進み受信した画像データおよびID情報を関連付けてデータベース１８３に保存する。画像データおよびID情報をデータベース１８３に保存したCPU１７１は、管理処理を終了する。
【０３２７】
また、ステップＳ２５１において、取得した画像データにID情報が付加されていないと判定した場合、CPU１７１は、ステップＳ２５３に進み、受信した画像データをデータベース１８３に保存する。画像データをデータベース１８３に保存したCPU１７１は、管理処理を終了する。
【０３２８】
入場者は、遊園地２３０を退場する際に、入場門２３１において、スタッフに携帯型通信装置３００を返却するか、若しくは、ID情報を提示することにより撮影された画像の画像データを要求する。画像データを要求されたスタッフは、ID情報を受付端末装置２３２に入力する。ID情報が入力された受付端末装置２３２は、入力されたID情報を管理サーバ２４１に供給する。ID情報を供給された管理サーバ２４１は、読み取り処理を開始する。
【０３２９】
図４３のフローチャートを参照して管理サーバ２４１による読み取り処理について説明する。
【０３３０】
最初に、ステップＳ２７１において、CPU１７１は、受付端末装置２３２より取得したID情報に基づいて、データベース１８３に保存されている画像データの中から、対応する画像データを検索する。
【０３３１】
ステップＳ２７２において、CPU１７１は、該当する画像データが存在するか否かを判定し、存在すると判定した場合、ステップＳ２７３に進み、検索された画像データを受付端末装置２３２に供給する。画像データを供給したCPU１７１は、読み取り処理を終了する。
【０３３２】
ステップＳ２７２において、該当する画像データが存在しないと判定した場合、CPU１７１は、ステップＳ２７４に進み、エラーメッセージを受付端末装置２３２に供給する。エラーメッセージを供給したCPU１７１は、読み取り処理を終了する。
【０３３３】
以上のようにして、受付端末装置２３２に供給された画像データは、対応する画像を紙などに印刷されたり、フロッピディスク等に保存されたりして、入場者に提供される。
【０３３４】
また、管理サーバ２４１がインターネット等のネットワークに接続され、遊園地２３０の入場者であったユーザが帰宅し、自宅などの端末装置より管理サーバ２４１にアクセスし、遊園地２３０において撮影された画像の画像データを取得することができるようにしてもよい。
【０３３５】
図４４は、本発明を適用した情報処理システムのさらに他の構成例を示す図である。
【０３３６】
図４４において、遊園地２３０の管理サーバ２４１は、決済サーバ２４２と接続されるとともに、ネットワーク４００に接続されている。また、ネットワーク４００には、管理サーバ２４１以外に端末装置４１０が接続されている。
【０３３７】
図４５は、図４４の端末装置４１０の内部の構成例を示す図である。
【０３３８】
図４５において、端末装置４１０のCPU４１１は、ROM４１２に記憶されているプログラム、またはRAM４１３にロードされたプログラムに従って各種の処理を実行する。RAM４１３にはまた、CPU４１１が各種の処理を実行する上において必要なデータなども適宜記憶される。CPU４１１、ROM４１２、およびRAM４１３は、バス４１４を介して相互に接続されている。このバス４１４にはまた、入出力インタフェース４２０にも接続されている。
【０３３９】
入出力インタフェース４２０には、キーボード、マウスなどよりなる入力部４２１、CRT、LCDなどよりなるディスプレイ、スピーカ、並びにプリンタなどよりなる出力部４２２、ハードディスクなどより構成される記憶部４２３、モデム、ターミナルアダプタなどより構成され、ネットワーク４００に接続されている通信部４２４が接続されている。
【０３４０】
入出力インタフェース４２０にはまた、必要に応じてドライブ４３０が接続され、磁気ディスク４３１、光ディスク４３２、光磁気ディスク４３３、或いは半導体メモリ４３４などが適宜装着され、それらから読み出されたコンピュータプログラムが、必要に応じてRAM４１３等にインストールされる。
【０３４１】
遊園地２３０の入場者であったユーザは、端末装置４１０より管理サーバ２４１にアクセスする。管理サーバ２４１にアクセスすると端末装置４１０は、画像購入処理を行う。図４６のフローチャートを参照して、端末装置４１０による画像購入処理について説明する。
【０３４２】
最初に、ステップＳ２９１において、端末装置４１０のCPU４１１は、ユーザの指示に基づいて、画像データを要求するか否かを判定し、要求すると判定するまで待機する。要求すると判定した場合、CPU４１１は、ステップＳ２９２に進み、ユーザの指示に基づいて、管理サーバ２４１に画像要求情報を供給する。CPU４１１は、通信部４２４を制御して、ユーザに入力された携帯型通信装置のID情報等の管理サーバ２４１に予め登録されている個人情報を含む画像要求情報を、管理サーバ２４１に供給する。管理サーバ２４１は、画像要求情報を取得すると、その画像要求情報に基づいて、該当する画像データを検索し、ネットワーク４００を介して、検索された画像データのサムネイル画像を端末装置４１０に供給する。
【０３４３】
ステップＳ２９３において、端末装置４１０のCPU４１１は、通信部４２４を制御して、サムネイル画像データを取得したか否かを判定する。取得したと判定した場合、CPU４１１は、ステップＳ２９４に進み、出力部４２２を制御して、ディスプレイ等に取得したサムネイル画像データに対応するサムネイル画像を表示し、ステップＳ２９５に進む。ステップＳ２９３において、サムネイル画像データを取得していないと判定した場合、CPU４１１は、ステップＳ２９５に進む。
【０３４４】
ユーザは、表示されたサムネイル画像の中から購入する画像を選択的に指定する。ステップＳ２９５において、CPU４１１は、ユーザが購入する画像を指定するか否かを判定する。ユーザが入力部４２１を操作して、購入する画像を指定したと判定した場合、CPU４１１は、ステップＳ２９６に進み、購入する画像を指定する情報である購入画像指定情報を管理サーバ２４１に供給する。購入画像指定情報を供給された管理サーバ２４１は、対応する画像データを、ネットワーク４００を介して、端末装置４１０に供給する。端末装置４１０のCPU４１１は、通信部４２４を制御して、その画像データを取得する。
【０３４５】
そして、CPU４１１は、ステップＳ２９７において、取得した画像データを記憶部４２３に記憶し、出力部４２２を制御して、取得した画像データに対応する画像をディスプレイ等に表示する。画像をディスプレイに表示したCPU４１１は、ステップＳ２９８に進む。
【０３４６】
また、ステップＳ２９５において、ユーザが購入する画像を指定しないと判定した場合、CPU４１１は、ステップＳ２９８に進む。
【０３４７】
ステップＳ２９８において、CPU４１１は、ユーザが入力部４２１を操作することによる指示に基づいて、画像購入処理を終了するか否かを判定する。終了すると判定した場合、CPU４１１は、画像購入処理を終了する。また、終了しないと判定した場合、CPU４１１は、ステップＳ２９１に戻り、それ以降の処理を繰り返す。
【０３４８】
次に、図４７のフローチャートを参照して、図４４の管理サーバ２４１による読み取り処理について説明する。
【０３４９】
最初に、ステップＳ３１１において、管理サーバ２４１のCPU１７１は、画像要求情報を供給したユーザのID情報に基づいて、画像データを検索する。CPU１７１は、通信部３８１を制御して取得した画像要求情報よりユーザのID情報を取得する。そして、そのID情報に基づいて、CPU１７１は、データベース１８３に保存されている画像データの中から該当する画像データを検索する。
【０３５０】
ステップＳ３１２において、CPU１７１は、該当する画像データが、データベース１８３に保存されている画像データの中に存在するか否かを判定する。存在すると判定すると、CPU１７１は、ステップＳ３１３に進み、通信部３８１を制御して、検索された画像データのサムネイル画像を、ネットワーク４００を介して端末装置４１０に供給する。サムネイル画像を供給するとCPU１７１は、ステップＳ３１５に進む。
【０３５１】
また、ステップＳ３１２において、該当する画像データが存在しないと判定された場合、CPU１７１は、通信部３８１を制御して、エラーメッセージを、ネットワーク４００を介して端末装置４１０に供給する。エラーメッセージを供給するとCPU１７１は、ステップＳ３１５に進む。
【０３５２】
ステップＳ３１５において、CPU１７１は、購入する画像データを指定されたか否かを判定する。CPU１７１は、通信部３８１を制御して、ネットワーク４００を介して、端末装置４１０より購入画像指定情報が供給されたか否かを判定する。指定されたと判定すると、CPU１７１は、ステップＳ３１６に進み、通信部３８１を制御して、指定された画像データを、ネットワーク４００を介して端末装置４１０に供給する。そして、CPU１７１は、ステップＳ３１７において、決済サーバ２４２に決済情報を出力し、決済処理を実行させる。CPU１７１は、端末装置４１０に供給した画像データの枚数や、端末装置４１０に提供したサービスの内容等から、決済情報を作成し、決済サーバ２４２に供給する。決済サーバ２４２は、決済情報を受け取ると、決済処理を実行する。
【０３５３】
ステップＳ３１７の処理を終了したCPU１７１は、読み取り処理を終了する。また、ステップＳ３１５において、購入する画像データを指定されていないと判定した場合、CPU１７１は、読み取り処理を終了する。
【０３５４】
以上のように、管理サーバ２４１を遊園地２３０の外のネットワーク４００に接続し、遊園地２３０内で撮影された画像を外部の端末装置４１０に提供することで、遊園地を訪れたユーザは、自宅においても遊園地２３０内で撮影された画像を取得することができる。
【０３５５】
図２７に示す情報処理システムにおいて、管理サーバ２４１は、画像データとID情報を関連付けてデータベースに保存するように説明したが、これに限らず、上述したように、携帯型通信装置３００において、入場者の音声を録音し、画像データに関連付けるようにしてもよい。
【０３５６】
また、以上においては、ID情報に関連付ける画像データは静止画像だけでなく、動画像であっても良い。
【０３５７】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０３５８】
この記録媒体は、例えば、図２に示すように、装置本体とは別に、ユーザにプログラムを提供するために配布される、プログラムが記録されている磁気ディスク３１（フロッピディスクを含む）、光ディスク３２（CD-ROM,DVDを含む）、光磁気ディスク３３（ＭＤを含む）、もしくは半導体メモリ３４などよりなるパッケージメディアにより構成されるだけでなく、装置本体に予め組み込まれた状態でユーザに提供される、プログラムが記録されているROM１２や、記憶部２３に含まれるハードディスクなどで構成される。
【０３５９】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０３６０】
また、本明細書において、システムとは、複数の装置により構成される装置全体を表すものである。
【０３６２】
本発明の情報処理システムによれば、撮影された被写体を識別することができ、テーマパーク等において、入場者が撮影に関して行動の制約を受けないようにし、また、入場者が、容易に目的の撮影画像を受け取ることができる。
【０３６３】
本発明の第１の情報処理装置および方法、並びにプログラムによれば、撮影された被写体を識別することができる。
【０３６４】
本発明の第２の情報処理装置および方法、並びにプログラムによれば、撮影された被写体を識別することができ、テーマパーク等において、入場者が撮影に関して行動の制約を受けないようにし、また、入場者が、容易に目的の撮影画像を受け取ることができる。
【図面の簡単な説明】
【図１】本発明を適用した情報処理システムの構成例を示す図である。
【図２】図１の撮影装置２の内部の構成例を示すブロック図である。
【図３】通信範囲と撮影範囲の関係の例を示す模式図である。
【図４】携帯型通信装置の内部の構成例を示すブロック図である。
【図５】撮影装置による撮影処理を説明するフローチャートである。
【図６】画像データおよびID情報の記憶部に記憶される様子の例を示した模式図である。
【図７】携帯型通信装置による通信処理を説明するフローチャートである。
【図８】撮影装置による読み取り処理を説明するフローチャートである。
【図９】グループ識別情報を含むID情報の様子の例を示す模式図である。
【図１０】携帯型通信装置の内部の他の構成例を示す図である。
【図１１】画像データおよびID情報の記憶部に記憶される様子の他の例を示した模式図である。
【図１２】携帯型通信装置の内部のさらに他の構成例を示す図である。
【図１３】撮影装置による撮影処理の他の例について説明するフローチャートである。
【図１４】携帯型通信装置による通信処理の他の例について説明するフローチャートである。
【図１５】本発明を適用した情報処理システムの他の構成例を示す図である。
【図１６】本発明を適用した情報処理システムのさらに他の構成例を示す図である。
【図１７】本発明を適用した情報処理システムのさらに他の構成例を示す図である。
【図１８】撮影装置の内部の他の構成例を示す図である。
【図１９】本発明を適用した情報処理システムのさらに他の構成例を示す図である。
【図２０】撮影装置の内部のさらに他の構成例を示すブロック図である。
【図２１】携帯型通信装置の内部のさらに他の構成例を示す図である。
【図２２】管理サーバの内部の構成例を示す図である。
【図２３】決済サーバの内部の構成例を示す図である。
【図２４】撮影装置による撮影処理について説明するフローチャートである。
【図２５】管理サーバによる管理処理について説明するフローチャートである。
【図２６】携帯型通信装置による通信処理について説明するフローチャートである。
【図２７】本発明を適用した情報処理システムの運用例を示す図である。
【図２８】入場者が携帯する携帯型通信装置の例を示す外見図である。
【図２９】携帯型通信装置の内部のさらに他の構成例を示すブロック図である。
【図３０】撮影スタッフが携帯する撮影装置および撮影側通信装置の例を示す外見図である。
【図３１】撮影スタッフが携帯する撮影装置および撮影側通信装置の例を示す外見図である。
【図３２】撮影装置の内部のさらに他の構成例を示す図である。
【図３３】撮影側通信装置の内部のさらに他の構成例を示す図である。
【図３４】着ぐるみを着ている撮影スタッフの詳細を示す外見図である。
【図３５】図２７の管理サーバの内部の構成例を示す図である。
【図３６】携帯型通信装置による位置確認処理について説明するフローチャートである。
【図３７】携帯型通信装置が位置を算出する様子の例を示す模式図である。
【図３８】撮影側通信装置による位置確認処理について説明するフローチャートである。
【図３９】位置情報要求情報を供給される管理サーバの位置確認処理について説明するフローチャートである。
【図４０】撮影装置による撮影処理について説明するフローチャートである。
【図４１】撮影側通信装置による通信処理について説明するフローチャートである。
【図４２】管理サーバによる管理処理について説明するフローチャートである。
【図４３】管理サーバによる読み取り処理について説明するフローチャートである。
【図４４】本発明を適用した情報処理システムのさらに他の構成例を示す図である。
【図４５】図４４の端末装置の内部の構成例を示す図である。
【図４６】端末装置による画像購入処理について説明するフローチャートである。
【図４７】図４４の管理サーバによる読み取り処理について説明するフローチャートである。
【符号の説明】
２  撮影装置
３  通信部
３Ａ  アンテナ
５  携帯型通信装置
５Ａ  アンテナ
１５  カメラ
２３  記憶部
６１  通信部
６２  ID情報記憶部
１０１  マイク
１４１  撮影装置
１４２  携帯型通信装置
１４４  管理サーバ
１４７  データベース
２３０  遊園地
２６５  撮影装置
２４１  管理サーバ
３００  携帯型通信装置
３３０  撮影側通信装置
４００  ネットワーク
４１０  端末装置
【図１】
0003912656.tif 000002
【図２】
0003912656.tif 000003
【図３】
0003912656.tif 000004
【図４】
0003912656.tif 000005
【図５】
0003912656.tif 000006
【図６】
0003912656.tif 000007
【図７】
0003912656.tif 000008
【図８】
0003912656.tif 000009
【図９】
0003912656.tif 000010
【図１０】
0003912656.tif 000011
【図１１】
0003912656.tif 000012
【図１２】
0003912656.tif 000013
【図１３】
0003912656.tif 000014
【図１４】
0003912656.tif 000015
【図１５】
0003912656.tif 000016
【図１６】
0003912656.tif 000017
【図１７】
0003912656.tif 000018
【図１８】
0003912656.tif 000019
【図１９】
0003912656.tif 000020
【図２０】
0003912656.tif 000021
【図２１】
0003912656.tif 000022
【図２２】
0003912656.tif 000023
【図２３】
0003912656.tif 000024
【図２４】
0003912656.tif 000025
【図２５】
0003912656.tif 000026
【図２６】
0003912656.tif 000027
【図２７】
0003912656.tif 000028
【図２８】
0003912656.tif 000029
【図２９】
0003912656.tif 000030
【図３０】
0003912656.tif 000031
【図３１】
0003912656.tif 000032
【図３２】
0003912656.tif 000033
【図３３】
0003912656.tif 000034
【図３４】
0003912656.tif 000035
【図３５】
0003912656.tif 000036
【図３６】
0003912656.tif 000037
【図３７】
0003912656.tif 000038
【図３８】
0003912656.tif 000039
【図３９】
0003912656.tif 000040
【図４０】
0003912656.tif 000041
【図４１】
0003912656.tif 000042
【図４２】
0003912656.tif 000043
【図４３】
0003912656.tif 000044
【図４４】
0003912656.tif 000045
【図４５】
0003912656.tif 000046
【図４６】
0003912656.tif 000047
【図４７】
0003912656.tif 000048